(57)【要約】【課題】スキャナ機能を有した画像処理システムにおける画像処理内容の設定作業を、ネットワークのセキュリティを気にすることなく簡単に行える機能を有するとともに、これらの画像処理内容の設定が他者に変更されてしまうことのないような安全な画像処理システムを提供する。【解決手段】コンピュータは、ローカルインターフェイスを経て、画像処理内容の設定情報を携帯用端末に送信し、設定情報は、ユーザの認証を行った後に携帯用端末の記憶部に記憶される。設定情報を記憶した携帯用端末を所持したユーザがＭＦＰの近くに移動した時、ユーザの認証を行った後、携帯用端末は、ローカルインターフェイスを経て、設定情報をＭＦＰに送信する。ＭＦＰは、受信した設定情報に基づき、ＭＦＰで画像処理が実行される。【選択図】        図１
2004364002.tif 000002
【特許請求の範囲】
【請求項１】
画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムにおいて、
画像データの処理内容に関する設定の入力を受け付ける設定入力受付手段と、
前記設定入力受付手段で受け付けられた設定に基づき設定情報を生成する設定情報生成手段と、
前記設定情報生成手段で生成された設定情報を書き込み可能な外部記憶装置を探索する書込外部記憶装置探索手段と、
前記書込外部記憶装置探索手段で探索された外部記憶装置の中から、設定情報を書き込む外部記憶装置の選択の入力を受け付ける書込選択入力受付手段と、
前記書込選択入力受付手段で選択が受け付けられた外部記憶装置へ設定情報を書き込む利用者の、個人情報の入力を受け付ける書込個人情報入力受付手段と、
前記書込個人情報入力受付手段で受け付けられた個人情報を認証する書込個人情報認証手段と、
前記書込個人情報認証手段で認証された結果に基づき、前記設定情報生成手段で生成された設定情報の、前記書込選択入力受付手段で選択が受け付けられた外部記憶装置への伝送を制御する書込伝送制御手段と、
を有することを特徴とする画像処理システム。
【請求項２】
前記書込個人情報認証手段は、
前記書込個人情報入力受付手段で受け付けられた個人情報を、個人情報と対応付けられた認証情報が予め記憶されている個人情報認証システムに送信し、
前記個人情報認証システムから送信される、前記送信した個人情報に対応付けられた認証情報を受信し、
前記受信した認証情報に基づいて個人情報の認証を行うことを特徴とする請求項１に記載の画像処理システム。
【請求項３】
前記外部記憶装置は、個人情報と対応付けられた認証情報が予め記憶された認証情報記憶手段を有し、
前記書込個人情報認証手段は、
前記認証情報記憶手段から、前記書込個人情報入力受付手段で受け付けられた個人情報に対応付けられた認証情報を読み出し、
前記読み出した認証情報に基づいて個人情報の認証を行うことを特徴とする請求項１又は２に記載の画像処理システム。
【請求項４】
前記外部記憶装置は、予め付与された識別情報を記憶する識別情報記憶手段を有し、
前記画像処理システムは、
前記識別情報記憶手段に記憶された識別情報を認証した結果に基づき、外部記憶装置に書き込まれた設定情報の画像処理装置への読み出しを制御することを特徴とする請求項１〜３のいずれかに記載の画像処理システム。
【請求項５】
前記書込選択入力受付手段における外部記憶装置の選択の入力は、
前記書込外部記憶装置探索手段で探索された結果をリスト表示し、リスト表示された結果の中からの選択が入力されることを特徴とする請求項１〜４のいずれかに記載の画像処理システム。
【請求項６】
設定情報が画像処理装置で読み出された後に、画像データの処理内容に関する設定の入力を受け付ける第２の設定入力受付手段と、
前記画像処理装置で読み出された設定情報及び前記第２の設定入力受付手段で受け付けられた設定に基づいて第２の設定情報を生成する第２の設定情報生成手段とを有し、
前記外部記憶装置は、前記第２の設定情報生成手段で生成された第２の設定情報を記憶することを特徴とする請求項１〜５のいずれかに記載の画像処理システム。
【請求項７】
前記画像処理装置で読み出された設定情報に基づいた画像データの処理実行回数を計数する処理回数計数手段と、
前記画像処理装置で読み出された設定情報及び前記処理回数計数手段で計数された処理実行回数に基づいて第２の設定情報を生成する第２の設定情報生成手段とを有し、
前記外部記憶装置は、前記第２の設定情報生成手段で生成された第２の設定情報を記憶することを特徴とする請求項１〜６のいずれかに記載の画像処理システム。
【請求項８】
前記設定情報生成手段で生成された設定情報の、前記書込選択入力受付手段で選択が受け付けられた外部記憶装置への伝送は、近距離無線通信方式により行われることを特徴とする請求項１〜７のいずれかに記載の画像処理システム。
【請求項９】
前記外部記憶装置は、入力装置、表示装置、通信装置、記憶装置を有する携帯情報端末であることを特徴とする請求項１〜８のいずれかに記載の画像処理システム。
【請求項１０】
前記画像処理装置は、画像データの解像度を変換する解像度変換手段、画像データを他の情報処理装置もしくは画像処理装置に転送する画像データ転送手段から選ばれる少なくとも一つを有し、
前記設定入力受付手段で受け付けられる設定には、
原稿データの解像度、
画像データの転送方法、
画像データの転送先情報、
から選ばれる少なくとも一つが含まれていることを特徴とする請求項１〜９のいずれかに記載の画像処理システム。
【請求項１１】
画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムにおいて、
設定情報を記憶した外部記憶装置を探索する読出外部記憶装置探索手段と、
前記読出外部記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置から設定情報を読み出す利用者の、個人情報の入力を受け付ける読出個人情報入力受付手段と、
前記読出個人情報入力受付手段で受け付けられた個人情報を認証する読出個人情報認証手段と、
前記読出個人情報認証手段で認証した結果に基づき、前記外部記憶装置に記憶された設定情報の、前記読出選択入力受付手段で選択が受け付けられた外部記憶装置から前記画像処理装置への伝送を制御する読出伝送制御手段と、
を有することを特徴とする画像処理システム。
【請求項１２】
前記読出個人情報認証手段は、
前記読出個人情報入力受付手段で受け付けられた個人情報を、個人情報と対応付けられた認証情報が予め記憶されている個人情報認証システムに送信し、
前記個人情報認証システムから送信される、前記送信した個人情報に対応付けられた認証情報を受信し、
前記受信した認証情報に基づいて個人情報の認証を行うことを特徴とする請求項１１に記載の画像処理システム。
【請求項１３】
前記外部記憶装置は、個人情報と対応付けられた認証情報が予め記憶された認証情報記憶手段を有し、
前記読出個人情報認証手段は、
前記認証情報記憶手段から、読出個人情報入力受付手段で受け付けられた個人情報に対応付けられた認証情報を読み出し、
前記読み出した認証情報に基づいて個人情報の認証を行うことを特徴とする請求項１１又は１２に記載の画像処理システム。
【請求項１４】
前記外部記憶装置は、予め付与された識別情報を記憶する識別情報記憶手段を有し、
前記読出伝送制御手段は、前記識別情報記憶手段に記憶された識別情報を認証した結果に基づき、前記外部記憶装置に記憶された設定情報の、前記読出選択入力受付手段で選択が受け付けられた外部記憶装置から前記画像処理装置への伝送を制御することを特徴とする請求項１１〜１３のいずれかに記載の画像処理システム。
【請求項１５】
前記読出選択入力受付手段における外部記憶装置の選択の入力は、
前記読出外部記憶装置探索手段で探索された結果をリスト表示し、リスト表示された結果の中からの選択が入力されることを特徴とする請求項１１〜１４のいずれかに記載の画像処理システム。
【請求項１６】
設定情報が画像処理装置で読み出された後に、画像データの処理内容に関する設定の入力を受け付ける第２の設定入力受付手段と、
前記画像処理装置で読み出された設定情報及び前記第２の設定入力受付手段で受け付けられた設定に基づいて第２の設定情報を生成する第２の設定情報生成手段とを有し、
前記外部記憶装置は、前記第２の設定情報生成手段で生成された第２の設定情報を記憶することを特徴とする請求項１１〜１５のいずれかに記載の画像処理システム。
【請求項１７】
前記画像処理装置で読み出された設定情報に基づいた画像データの処理実行回数を計数する処理回数計数手段と、
前記画像処理装置で読み出された設定情報及び前記処理回数計数手段で計数された処理実行回数に基づいて第２の設定情報を生成する第２の設定情報生成手段とを有し、
前記外部記憶装置は、前記第２の設定情報生成手段で生成された第２の設定情報を記憶することを特徴とする請求項１１〜１６のいずれかに記載の画像処理システム。
【請求項１８】
前記外部記憶装置に記憶された設定情報の、前記読出選択入力受付手段で選択が受け付けられた外部記憶装置から前記画像処理装置への伝送は、近距離無線通信方式により行われることを特徴とする請求項１１〜１７のいずれかに記載の画像処理システム。
【請求項１９】
前記外部記憶装置は、入力装置、表示装置、通信装置、記憶装置を有する携帯情報端末であることを特徴とする請求項１１〜１８のいずれかに記載の画像処理システム。
【請求項２０】
前記画像処理装置は、画像データの解像度を変換する解像度変換手段、画像データを他の情報処理装置もしくは画像処理装置に転送する画像データ転送手段から選ばれる少なくとも一つを有し、
設定情報には、
画像データの解像度、
画像データの転送方法、
画像データの転送先情報、
から選ばれる少なくとも一つが含まれていることを特徴とする請求項１１〜１９のいずれかに記載の画像処理システム。
【請求項２１】
画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムの制御方法において、
画像データの処理内容に関する設定の入力を受け付ける工程と、
受け付けられた設定に基づき設定情報を生成する工程と、
生成された設定情報を書き込み可能な外部記憶装置を探索する工程と、
探索された外部記憶装置の中から、設定情報を書き込む外部記憶装置の選択の入力を受け付ける工程と、
選択の受け付けられた外部記憶装置へ設定情報を書き込む利用者の、個人情報の入力を受け付ける工程と、
入力の受け付けられた個人情報を認証する工程と、
個人情報を認証した結果に基づき、生成された設定情報の、選択の受け付けられた外部記憶装置への伝送を制御する工程と、
選択の受け付けられた外部記憶装置に、生成された設定情報を書き込む工程と、
を含むことを特徴とする画像処理システムの制御方法。
【請求項２２】
画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムの制御方法において、
設定情報を記憶した外部記憶装置を探索する工程と、
探索された外部記憶装置の中から、設定情報を読み出す外部記憶装置の選択の入力を受け付ける工程と、
選択の受け付けられた外部記憶装置から設定情報を読み出す利用者の、個人情報の入力を受け付ける工程と、
入力の受け付けられた個人情報を認証する工程と、
個人情報を認証した結果に基づき、外部記憶装置に記憶された情報の、選択の受け付けられた外部記憶装置から画像処理装置への伝送を制御する工程と、
を含むことを特徴とする画像処理システムの制御方法。
【請求項２３】
外部記憶装置に書き込まれた設定情報を読み出して、原稿画像を読み取ることにより得られた画像データを、読み出した設定情報に基づいて処理する画像処理装置において、
設定情報が記憶された外部記憶装置を探索する読出外部記憶装置探索手段と、
設定情報が記憶された外部記憶装置から送信された、設定情報を受信する読出設定情報受信手段と、
前記読出外部記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置から設定情報を読み出す利用者の、個人情報の入力を受け付ける読出個人情報入力受付手段と、
前記読出個人情報入力受付手段で受け付けられた個人情報を、前記読出選択入力受付手段で選択が受け付けられた外部記憶装置に送信する読出個人情報送信手段と、
前記読出個人情報送信手段で個人情報を送信した後に、外部記憶装置から送信された設定情報に基づいて、画像データを処理する画像処理制御手段と、
を有することを特徴とする画像処理装置。
【請求項２４】
外部記憶装置から送信される、該外部記憶装置に予め付与された識別情報を受信する読出識別情報受信手段と、
前記読出識別情報受信手段で受信された識別情報を認証する識別情報認証手段と、
前記識別情報認証手段で認証した結果に基づき、前記読出設定情報受信手段における設定情報の受信を制御する読出受信制御手段と、
を有することを特徴とする請求項２３に記載の画像処理装置。
【請求項２５】
画像データの処理内容に関する設定情報を情報処理装置で生成し、生成された設定情報を外部記憶装置に書き込み、書き込まれた設定情報を画像処理装置に読み出し、原稿画像を読み取ることにより得られた画像データを、読み出された設定情報に基づいて該画像処理装置で処理する画像処理システムにおいて、
前記情報処理装置は、
画像データの処理内容に関する設定入力を受け付ける設定入力受付手段と、
前記設定入力受付手段で受け付けられた設定に基づき設定情報を生成する設定情報生成手段と、
前記設定情報生成手段で生成された設定情報を書き込み可能な外部記憶装置を探索する書込記憶装置探索手段と、
前記書込記憶装置探索手段で探索された外部記憶装置の中から、設定情報を書き込む外部記憶装置の選択の入力を受け付ける書込選択入力受付手段と、
前記書込選択入力受付手段で選択が受け付けられた外部記憶装置へ設定情報を書き込む利用者の、書込個人情報の入力を受け付ける書込個人情報入力受付手段と、
前記書込選択入力受付手段で選択が受け付けられた外部記憶装置へ、前記書込個人情報入力受付手段で受け付けられた書込個人情報を送信する書込個人情報送信手段と、
前記書込選択入力受付手段で選択が受け付けられた外部記憶装置へ、前記設定情報生成手段で生成された設定情報を送信する書込設定情報送信手段とを有し、
前記外部記憶装置は、
前記書込個人情報送信手段で送信された書込個人情報を受信する個人情報受信手段と、
前記書込設定情報送信手段で送信された設定情報を受信する書込設定情報受信手段と、
前記書込設定情報受信手段で受信した設定情報を記憶可能な設定情報記憶手段と、
前記個人情報受信手段で受信した書込個人情報を、個人情報を認証する個人情報認証システムに送信する認証個人情報送信手段と、
前記個人情報認証システムにおける、前記認証個人情報送信手段で送信した書込個人情報の認証結果を受信する個人情報認証結果受信手段と、
前記個人情報認証結果受信手段で受信した認証結果に基づき、前記書込設定情報受信手段における、前記書込設定情報送信手段で送信された設定情報の受信を制御する書込受信制御手段と、
予め付与された識別情報を記憶する識別情報記憶手段と、
前記識別情報記憶手段に記憶された識別情報を画像処理装置に送信する識別情報送信手段と、
前記設定情報記憶手段に記憶された設定情報を画像処理装置に送信する読出設定情報送信手段とを有し、
前記画像処理装置は、
設定情報を記憶した外部記憶装置を探索する読出記憶装置探索手段と、
前記読出記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置の読出設定情報送信手段から送信された設定情報を受信する読出設定情報受信手段と、
前記読出選択入力受付手段で選択が受け付けられた外部記憶装置の識別情報送信手段から送信される識別情報を受信する識別情報受信手段と、
前記識別情報受信手段で受信した識別情報を、識別情報を認証する識別情報認証システムに送信する読出識別情報送信手段と、
前記識別情報認証システムにおける、前記読出識別情報送信手段で送信した識別情報の認証結果を受信する識別情報認証結果受信手段と、
前記識別情報認証結果受信手段で受信した認証結果に基づき、前記読出設定情報受信手段における、読出設定情報送信手段で送信された設定情報の受信を制御する読出受信制御手段と、
前記読出設定情報受信手段で受信した設定情報に基づき画像データを処理する画像処理制御手段と、
を有することを特徴とする画像処理システム。
【請求項２６】
前記画像処理装置において、
前記読出選択入力受付手段で選択が受け付けられた外部記憶装置から設定情報を読み出す利用者の、読出個人情報入力を受け付ける読出個人情報入力受付手段と、
前記読出選択入力受付手段で選択が受け付けられた外部記憶装置に前記読出個人情報入力受付手段で受け付けた読出個人情報を送信する読出個人情報送信手段とを有し、
前記外部記憶装置において、
前記個人情報受信手段はさらに、前記読出個人情報送信手段で送信された読出個人情報を受信し、
前記認証個人情報送信手段はさらに、前記個人情報受信手段で受信した読出個人情報を、前記個人情報認証システムに送信し、
前記個人情報認証結果受信手段はさらに、前記個人情報認証システムにおける、前記認証個人情報送信手段で送信した読出個人情報の認証結果を受信し、
前記個人情報認証結果受信手段で受信した認証結果に基づき、前記読出設定情報送信手段を制御する読出送信制御手段、
を有することを特徴とする請求項２５に記載の画像処理システム。
【発明の詳細な説明】
【０００１】
【発明の属する技術分野】
本発明は、スキャナ機器により原稿画像を読み取って得られた画像データを、予め設定された処理内容に基づいて処理する画像処理システムに関する。
【０００２】
【従来の技術】
近年、複写装置等の画像形成装置にコンピュータからの出力をプリントするプリンタ機能、原稿台上の原稿を読み取りコンピュータへ入力するスキャナ機能、公衆回線と接続された画像の送受信を行うファクシミリ機能等が外部装置として付加された多機能型の複合画像形成装置（ＭＦＰ）が登場し、中でも、ネットワークに接続されるネットワークスキャナ機能の登場により、複数ユーザで共有されたスキャナ装置で読み取った画像を、電子メール（ｅ−ｍａｉｌ）で受け取ったり、ＷＷＷブラウザから読み込んだりすることが可能となった。ネットワークスキャナ機能とは、複数のクライアント端末（コンピュータ）が接続されたネットワークに対して、ＭＦＰのスキャナ装置が、あたかもクライアント端末と同じような一端末として接続されるタイプのものである。
【０００３】
また、昨今のスキャナ機能の向上は著しく、様々な画像処理内容の設定項目及びその設定値（例えば、原稿サイズ、拡大縮小倍率、解像度、両面／片面、階調補正／カラーバランスなどの画像処理、モノクロ／カラー、電子メール／ＦＴＰ／ＷＷＷサーバ／クライアント端末の特定ディレクトリ／ＭＦＰのローカルボックスなどの送信宛先、ＴＩＦＦ／ＰＤＦなどのファイルフォーマット、枠消し／ブック原稿の折り目消し／画像ゴミ取り／原稿傾き補正などの自動画像編集など）が可能となっている。
【０００４】
しかしながら、上記の如き機能向上に伴い、下記の問題が生じてきている。
１）設定項目及びその設定値の増加により、ユーザがＭＦＰ操作部での設定に要する時間も増加する。また、数多くの設定項目及びその設定値に対して限定された表示エリア、操作キーしか持たないＭＦＰ操作部での操作性はあまりよくない。
２）個人で使用する設定値は毎回凡そ決まっているのに対し、共有のスキャナ機能であるために設定値は直近に使用した他ユーザのものに変更されており、使用の度に再設定が必要となる。
３）複数ユーザの共有により、あるユーザがＭＦＰ操作部での操作中はＭＦＰを占拠してしまい、他のユーザが使用できない。
【０００５】
そこで、ネットワークに接続されている特性を生かして、クライアント端末で設定した処理内容を設定情報としてネットワークを介して送信することが可能である。しかし、せっかく設定した設定情報もスキャナの前に行くまでに他人に変更されてしまう可能性があるため、送信した設定情報をＭＦＰ操作部で選択するなどの作業が必要であった。
【０００６】
また、予めＭＦＰに内蔵された記憶装置にユーザ毎の設定を保存しておき、画像処理実行前にＭＦＰ操作部あるいは個人情報が予め記憶されたＩＣカードでユーザを選択することも容易に考えられる。しかし、これではユーザ毎の設定情報をＭＦＰの記憶装置に予め記憶させておく必要があり、特に設定作業をＭＦＰ操作部で行う場合などは、設定作業が非常に面倒であるし、設定を変更する際にも同様の作業が発生する。
【０００７】
これらの問題を解決するために、特許文献１では、設定パラメータと個人認証情報がクライアント端末で設定され、スキャナ装置にネットワークを介して送信され、スキャナ装置はそれらを記憶する。ユーザが操作するに当たっては、キー入力やＩＣカード等の個人認証手段により上記記憶された設定が呼び出され、容易に設定が完了するというものである。
【０００８】
また、特許文献２では、各機能に対応する制御プログラムを内蔵したＩＣカードを装着することにより、機能切換え、及び機能切換えに伴う内部制御の変更を行うＭＦＰにより、複合化装置本体が内蔵する制御プログラムを単純化し、ユーザの誤操作の機会を少なくするものである。
【０００９】
【特許文献１】
特開２００１−１４８７５３号公報
【００１０】
【特許文献２】
特開昭６３−１８４４４８号公報
【００１１】
【発明が解決しようとする課題】
しかしながら、特許文献１においては、クライアント端末での設定及び設定情報のスキャナ装置への送信は、スキャナを使用する度に必須となり、実用上不便である。また、他のスキャナ装置を使用する際には、改めてクライアント端末での設定が必要となる。さらに、クライアント端末とスキャナ装置とが異なるローカルエリアネットワーク（ＬＡＮ）に接続されている場合、ファイヤウォール等のネットワークセキュリティ措置により設定情報を送信できない場合がある。そして、スキャンしたい原稿を持っているユーザが、まずクライアント端末に向かって画像処理内容の設定を行うというのは、常にコンピュータで作業をしているユーザ以外には違和感を覚える作業となる。
【００１２】
また、特許文献２においては、ＩＣカードに限らず、様々な外部記憶装置が有線、無線で接続可能となった昨今においては、ユーザが想定した以外の外部記憶装置から設定情報を読み出すことが予想され、却って誤操作の機会を増大させてしまう。
【００１３】
本発明は、上述の如き事情に鑑みてなされたものであり、スキャナ機能を有した画像処理システムにおける画像処理内容の設定作業を、ネットワークのセキュリティを気にすることなく簡単に行える機能を有するとともに、これらの画像処理内容の設定が他者に変更されてしまうことのないような安全な画像処理システムを提供することをその目的とする。
【００１４】
【課題を解決するための手段】
本発明の目的は、下記構成により達成することができる。
【００１５】
（１）  画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムにおいて、
画像データの処理内容に関する設定の入力を受け付ける設定入力受付手段と、
前記設定入力受付手段で受け付けられた設定に基づき設定情報を生成する設定情報生成手段と、
前記設定情報生成手段で生成された設定情報を書き込み可能な外部記憶装置を探索する書込外部記憶装置探索手段と、
前記書込外部記憶装置探索手段で探索された外部記憶装置の中から、設定情報を書き込む外部記憶装置の選択の入力を受け付ける書込選択入力受付手段と、
前記書込選択入力受付手段で選択が受け付けられた外部記憶装置へ設定情報を書き込む利用者の、個人情報の入力を受け付ける書込個人情報入力受付手段と、
前記書込個人情報入力受付手段で受け付けられた個人情報を認証する書込個人情報認証手段と、
前記書込個人情報認証手段で認証された結果に基づき、前記設定情報生成手段で生成された設定情報の、前記書込選択入力受付手段で選択が受け付けられた外部記憶装置への伝送を制御する書込伝送制御手段と、
を有することを特徴とする画像処理システム。
【００１６】
（２）  前記書込個人情報認証手段は、
前記書込個人情報入力受付手段で受け付けられた個人情報を、個人情報と対応付けられた認証情報が予め記憶されている個人情報認証システムに送信し、
前記個人情報認証システムから送信される、前記送信した個人情報に対応付けられた認証情報を受信し、
前記受信した認証情報に基づいて個人情報の認証を行うことを特徴とする（１）に記載の画像処理システム。
【００１７】
（３）  前記外部記憶装置は、個人情報と対応付けられた認証情報が予め記憶された認証情報記憶手段を有し、
前記書込個人情報認証手段は、
前記認証情報記憶手段から、前記書込個人情報入力受付手段で受け付けられた個人情報に対応付けられた認証情報を読み出し、
前記読み出した認証情報に基づいて個人情報の認証を行うことを特徴とする（１）又は（２）に記載の画像処理システム。
【００１８】
（４）  前記外部記憶装置は、予め付与された識別情報を記憶する識別情報記憶手段を有し、
前記画像処理システムは、
前記識別情報記憶手段に記憶された識別情報を認証した結果に基づき、外部記憶装置に書き込まれた設定情報の画像処理装置への読み出しを制御することを特徴とする（１）〜（３）のいずれかに記載の画像処理システム。
【００１９】
（５）  前記書込選択入力受付手段における外部記憶装置の選択の入力は、
前記書込外部記憶装置探索手段で探索された結果をリスト表示し、リスト表示された結果の中からの選択が入力されることを特徴とする（１）〜（４）のいずれかに記載の画像処理システム。
【００２０】
（６）  設定情報が画像処理装置で読み出された後に、画像データの処理内容に関する設定の入力を受け付ける第２の設定入力受付手段と、
前記画像処理装置で読み出された設定情報及び前記第２の設定入力受付手段で受け付けられた設定に基づいて第２の設定情報を生成する第２の設定情報生成手段とを有し、
前記外部記憶装置は、前記第２の設定情報生成手段で生成された第２の設定情報を記憶することを特徴とする（１）〜（５）のいずれかに記載の画像処理システム。
【００２１】
（７）  前記画像処理装置で読み出された設定情報に基づいた画像データの処理実行回数を計数する処理回数計数手段と、
前記画像処理装置で読み出された設定情報及び前記処理回数計数手段で計数された処理実行回数に基づいて第２の設定情報を生成する第２の設定情報生成手段とを有し、
前記外部記憶装置は、前記第２の設定情報生成手段で生成された第２の設定情報を記憶することを特徴とする（１）〜（６）のいずれかに記載の画像処理システム。
【００２２】
（８）  前記設定情報生成手段で生成された設定情報の、前記書込選択入力受付手段で選択が受け付けられた外部記憶装置への伝送は、近距離無線通信方式により行われることを特徴とする（１）〜（７）のいずれかに記載の画像処理システム。
【００２３】
（９）  前記外部記憶装置は、入力装置、表示装置、通信装置、記憶装置を有する携帯情報端末であることを特徴とする（１）〜（８）のいずれかに記載の画像処理システム。
【００２４】
（１０）  前記画像処理装置は、画像データの解像度を変換する解像度変換手段、画像データを他の情報処理装置もしくは画像処理装置に転送する画像データ転送手段から選ばれる少なくとも一つを有し、
前記設定入力受付手段で受け付けられる設定には、
原稿データの解像度、
画像データの転送方法、
画像データの転送先情報、
から選ばれる少なくとも一つが含まれていることを特徴とする（１）〜（９）のいずれかに記載の画像処理システム。
【００２５】
（１１）  画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムにおいて、
設定情報を記憶した外部記憶装置を探索する読出外部記憶装置探索手段と、
前記読出外部記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置から設定情報を読み出す利用者の、個人情報の入力を受け付ける読出個人情報入力受付手段と、
前記読出個人情報入力受付手段で受け付けられた個人情報を認証する読出個人情報認証手段と、
前記読出個人情報認証手段で認証した結果に基づき、前記外部記憶装置に記憶された設定情報の、前記読出選択入力受付手段で選択が受け付けられた外部記憶装置から前記画像処理装置への伝送を制御する読出伝送制御手段と、
を有することを特徴とする画像処理システム。
【００２６】
（１２）  前記読出個人情報認証手段は、
前記読出個人情報入力受付手段で受け付けられた個人情報を、個人情報と対応付けられた認証情報が予め記憶されている個人情報認証システムに送信し、
前記個人情報認証システムから送信される、前記送信した個人情報に対応付けられた認証情報を受信し、
前記受信した認証情報に基づいて個人情報の認証を行うことを特徴とする（１１）に記載の画像処理システム。
【００２７】
（１３）  前記外部記憶装置は、個人情報と対応付けられた認証情報が予め記憶された認証情報記憶手段を有し、
前記読出個人情報認証手段は、
前記認証情報記憶手段から、読出個人情報入力受付手段で受け付けられた個人情報に対応付けられた認証情報を読み出し、
前記読み出した認証情報に基づいて個人情報の認証を行うことを特徴とする（１１）又は（１２）に記載の画像処理システム。
【００２８】
（１４）  前記外部記憶装置は、予め付与された識別情報を記憶する識別情報記憶手段を有し、
前記読出伝送制御手段は、前記識別情報記憶手段に記憶された識別情報を認証した結果に基づき、前記外部記憶装置に記憶された設定情報の、前記読出選択入力受付手段で選択が受け付けられた外部記憶装置から前記画像処理装置への伝送を制御することを特徴とする（１１）〜（１３）のいずれかに記載の画像処理システム。
【００２９】
（１５）  前記読出選択入力受付手段における外部記憶装置の選択の入力は、前記読出外部記憶装置探索手段で探索された結果をリスト表示し、リスト表示された結果の中からの選択が入力されることを特徴とする（１１）〜（１４）のいずれかに記載の画像処理システム。
【００３０】
（１６）  設定情報が画像処理装置で読み出された後に、画像データの処理内容に関する設定の入力を受け付ける第２の設定入力受付手段と、
前記画像処理装置で読み出された設定情報及び前記第２の設定入力受付手段で受け付けられた設定に基づいて第２の設定情報を生成する第２の設定情報生成手段とを有し、
前記外部記憶装置は、前記第２の設定情報生成手段で生成された第２の設定情報を記憶することを特徴とする（１１）〜（１５）のいずれかに記載の画像処理システム。
【００３１】
（１７）  前記画像処理装置で読み出された設定情報に基づいた画像データの処理実行回数を計数する処理回数計数手段と、
前記画像処理装置で読み出された設定情報及び前記処理回数計数手段で計数された処理実行回数に基づいて第２の設定情報を生成する第２の設定情報生成手段とを有し、
前記外部記憶装置は、前記第２の設定情報生成手段で生成された第２の設定情報を記憶することを特徴とする（１１）〜（１６）のいずれかに記載の画像処理システム。
【００３２】
（１８）  前記外部記憶装置に記憶された設定情報の、前記読出選択入力受付手段で選択が受け付けられた外部記憶装置から前記画像処理装置への伝送は、近距離無線通信方式により行われることを特徴とする（１１）〜（１７）のいずれかに記載の画像処理システム。
【００３３】
（１９）  前記外部記憶装置は、入力装置、表示装置、通信装置、記憶装置を有する携帯情報端末であることを特徴とする（１１）〜（１８）のいずれかに記載の画像処理システム。
【００３４】
（２０）  前記画像処理装置は、画像データの解像度を変換する解像度変換手段、画像データを他の情報処理装置もしくは画像処理装置に転送する画像データ転送手段から選ばれる少なくとも一つを有し、
設定情報には、
画像データの解像度、
画像データの転送方法、
画像データの転送先情報、
から選ばれる少なくとも一つが含まれていることを特徴とする（１１）〜（１９）のいずれかに記載の画像処理システム。
【００３５】
（２１）  画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムの制御方法において、
画像データの処理内容に関する設定の入力を受け付ける工程と、
受け付けられた設定に基づき設定情報を生成する工程と、
生成された設定情報を書き込み可能な外部記憶装置を探索する工程と、
探索された外部記憶装置の中から、設定情報を書き込む外部記憶装置の選択の入力を受け付ける工程と、
選択の受け付けられた外部記憶装置へ設定情報を書き込む利用者の、個人情報の入力を受け付ける工程と、
入力の受け付けられた個人情報を認証する工程と、
個人情報を認証した結果に基づき、生成された設定情報の、選択の受け付けられた外部記憶装置への伝送を制御する工程と、
選択の受け付けられた外部記憶装置に、生成された設定情報を書き込む工程と、
を含むことを特徴とする画像処理システムの制御方法。
【００３６】
（２２）  画像データの処理内容に関する設定情報を外部記憶装置に書き込み、該外部記憶装置に書き込まれた設定情報を画像処理装置に読み出し、原稿画像を読み取ることにより得られた画像データを、読み出した設定情報に基づいて該画像処理装置で処理する画像処理システムの制御方法において、
設定情報を記憶した外部記憶装置を探索する工程と、
探索された外部記憶装置の中から、設定情報を読み出す外部記憶装置の選択の入力を受け付ける工程と、
選択の受け付けられた外部記憶装置から設定情報を読み出す利用者の、個人情報の入力を受け付ける工程と、
入力の受け付けられた個人情報を認証する工程と、
個人情報を認証した結果に基づき、外部記憶装置に記憶された情報の、選択の受け付けられた外部記憶装置から画像処理装置への伝送を制御する工程と、
を含むことを特徴とする画像処理システムの制御方法。
【００３７】
（２３）  外部記憶装置に書き込まれた設定情報を読み出して、原稿画像を読み取ることにより得られた画像データを、読み出した設定情報に基づいて処理する画像処理装置において、
設定情報が記憶された外部記憶装置を探索する読出外部記憶装置探索手段と、
設定情報が記憶された外部記憶装置から送信された、設定情報を受信する読出設定情報受信手段と、
前記読出外部記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置から設定情報を読み出す利用者の、個人情報の入力を受け付ける読出個人情報入力受付手段と、
前記読出個人情報入力受付手段で受け付けられた個人情報を、前記読出選択入力受付手段で選択が受け付けられた外部記憶装置に送信する読出個人情報送信手段と、
前記読出個人情報送信手段で個人情報を送信した後に、外部記憶装置から送信された設定情報に基づいて、画像データを処理する画像処理制御手段と、
を有することを特徴とする画像処理装置。
【００３８】
（２４）  外部記憶装置から送信される、該外部記憶装置に予め付与された識別情報を受信する読出識別情報受信手段と、
前記読出識別情報受信手段で受信された識別情報を認証する識別情報認証手段と、
前記識別情報認証手段で認証した結果に基づき、前記読出設定情報受信手段における設定情報の受信を制御する読出受信制御手段と、
を有することを特徴とする（２３）に記載の画像処理装置。
【００３９】
（２５）  画像データの処理内容に関する設定情報を情報処理装置で生成し、生成された設定情報を外部記憶装置に書き込み、書き込まれた設定情報を画像処理装置に読み出し、原稿画像を読み取ることにより得られた画像データを、読み出された設定情報に基づいて該画像処理装置で処理する画像処理システムにおいて、
前記情報処理装置は、
画像データの処理内容に関する設定入力を受け付ける設定入力受付手段と、
前記設定入力受付手段で受け付けられた設定に基づき設定情報を生成する設定情報生成手段と、
前記設定情報生成手段で生成された設定情報を書き込み可能な外部記憶装置を探索する書込記憶装置探索手段と、
前記書込記憶装置探索手段で探索された外部記憶装置の中から、設定情報を書き込む外部記憶装置の選択の入力を受け付ける書込選択入力受付手段と、
前記書込選択入力受付手段で選択が受け付けられた外部記憶装置へ設定情報を書き込む利用者の、書込個人情報の入力を受け付ける書込個人情報入力受付手段と、
前記書込選択入力受付手段で選択が受け付けられた外部記憶装置へ、前記書込個人情報入力受付手段で受け付けられた書込個人情報を送信する書込個人情報送信手段と、
前記書込選択入力受付手段で選択が受け付けられた外部記憶装置へ、前記設定情報生成手段で生成された設定情報を送信する書込設定情報送信手段とを有し、
前記外部記憶装置は、
前記書込個人情報送信手段で送信された書込個人情報を受信する個人情報受信手段と、
前記書込設定情報送信手段で送信された設定情報を受信する書込設定情報受信手段と、
前記書込設定情報受信手段で受信した設定情報を記憶可能な設定情報記憶手段と、
前記個人情報受信手段で受信した書込個人情報を、個人情報を認証する個人情報認証システムに送信する認証個人情報送信手段と、
前記個人情報認証システムにおける、前記認証個人情報送信手段で送信した書込個人情報の認証結果を受信する個人情報認証結果受信手段と、
前記個人情報認証結果受信手段で受信した認証結果に基づき、前記書込設定情報受信手段における、前記書込設定情報送信手段で送信された設定情報の受信を制御する書込受信制御手段と、
予め付与された識別情報を記憶する識別情報記憶手段と、
前記識別情報記憶手段に記憶された識別情報を画像処理装置に送信する識別情報送信手段と、
前記設定情報記憶手段に記憶された設定情報を画像処理装置に送信する読出設定情報送信手段とを有し、
前記画像処理装置は、
設定情報を記憶した外部記憶装置を探索する読出記憶装置探索手段と、
前記読出記憶装置探索手段で探索された外部記憶装置の中から、設定情報を読み出す外部記憶装置の選択の入力を受け付ける読出選択入力受付手段と、
前記読出選択入力受付手段で選択が受け付けられた外部記憶装置の読出設定情報送信手段から送信された設定情報を受信する読出設定情報受信手段と、
前記読出選択入力受付手段で選択が受け付けられた外部記憶装置の識別情報送信手段から送信される識別情報を受信する識別情報受信手段と、
前記識別情報受信手段で受信した識別情報を、識別情報を認証する識別情報認証システムに送信する読出識別情報送信手段と、
前記識別情報認証システムにおける、前記読出識別情報送信手段で送信した識別情報の認証結果を受信する識別情報認証結果受信手段と、
前記識別情報認証結果受信手段で受信した認証結果に基づき、前記読出設定情報受信手段における、読出設定情報送信手段で送信された設定情報の受信を制御する読出受信制御手段と、
前記読出設定情報受信手段で受信した設定情報に基づき画像データを処理する画像処理制御手段と、
を有することを特徴とする画像処理システム。
【００４０】
（２６）  前記画像処理装置において、
前記読出選択入力受付手段で選択が受け付けられた外部記憶装置から設定情報を読み出す利用者の、読出個人情報入力を受け付ける読出個人情報入力受付手段と、
前記読出選択入力受付手段で選択が受け付けられた外部記憶装置に前記読出個人情報入力受付手段で受け付けた読出個人情報を送信する読出個人情報送信手段とを有し、
前記外部記憶装置において、
前記個人情報受信手段はさらに、前記読出個人情報送信手段で送信された読出個人情報を受信し、
前記認証個人情報送信手段はさらに、前記個人情報受信手段で受信した読出個人情報を、前記個人情報認証システムに送信し、
前記個人情報認証結果受信手段はさらに、前記個人情報認証システムにおける、前記認証個人情報送信手段で送信した読出個人情報の認証結果を受信し、
前記個人情報認証結果受信手段で受信した認証結果に基づき、前記読出設定情報送信手段を制御する読出送信制御手段、
を有することを特徴とする（２５）に記載の画像処理システム。
【００４１】
【発明の実施の形態】
以下、図面を参照しつつ、本発明の実施の形態を説明する。
（第１の実施の形態）図１は、本発明の第１の実施の形態に係る画像処理システムの全体構成を示すブロック図である。図１の画像処理システムは、コンピュータ２００で設定した画像処理内容を、ＭＦＰ１００で実行するシステムであり、具体的には、ＭＦＰ１００のスキャナ機能を実行する際に、スキャナで読み取った原稿の画像データに対して画像処理を行うための各種設定情報をコンピュータ２００で生成させてから、ＭＦＰ１００に設定情報を読み込ませて、当該設定情報を基に画像処理を実行するための画像システムである。なお、本発明における画像処理とは、スキャナで読み取った原稿の画像データへの加工処理に限らず、プリンタによる画像形成、ディスプレイによる画像表示あるいは画像データ伝送等の出力を行うことも包含する。
【００４２】
画像処理システムは、ＭＦＰ１００、情報処理装置に相当するコンピュータ２００、および携帯用端末３００を有し、必要に応じて個人情報認証システム及び端末情報認証システムに相当する認証サーバ５００、基地局６００を有する。ＭＦＰ１００およびコンピュータ２００は、ネットワーク４００に接続されている。なお、ネットワーク４００上の機器の種類および台数は、実際には図１に示される例に限定されない。また、実際には、複数の携帯用端末３００が存在する場合もある。ネットワーク４００は、例えば、イーサネット（Ｒ）、トークンリング、ＦＤＤＩ（ｆｉｂｅｒ  ｄｉｓｔｒｉｂｕｔｅｄ  ｄａｔａ  ｉｎｔｅｒｆａｃｅ）などのＬＡＮ、あるいは幾つかのＬＡＮ同士を接続したＷＡＮなどである。
【００４３】
多機能型の複合画像形成装置（ＭＦＰ）１００は、本発明の画像処理装置に相当する。本発明の画像処理装置は、ＭＦＰ１００に限らず、スキャナで読み取った原稿の画像データに対して画像処理を行った後、画像形成、画像表示あるいは画像データ伝送等の出力を行うものであればよく、具体的には、スキャナ装置、複写機、ファクシミリ装置、デジタルカメラ、カメラ付き携帯電話などが画像処理装置に相当する。
【００４４】
携帯用端末３００は、本発明の外部記憶装置に相当し、具体的には携帯電話、ＰＤＡ、ノート型コンピュータ、又は電子手帳などの持ち運び可能な任意の端末である。本発明の外部記憶装置は、携帯用端末３００に限らず、コンピュータ２００およびプリンタ１００と各々近距離通信する機能を有する記憶装置であれば特に制限はなく、後述の外部メモリもこれに含まれる。本明細書において、近距離通信は、無線通信と有線通信との双方を含み、ネットワーク４００を介さない近距離での通信をいう。特に、近距離通信として、通信可能距離が好ましくは１００ｍ以内、より好ましくは１０ｍ以内の近距離無線通信を用いることが望ましい。具体的には、近距離有線通信はＵＳＢ（ユニバーサルシリアルバス）、ＩＥＥＥ１３９４などの通信規格に対応し、近距離無線通信は、Ｂｌｕｅｔｏｏｔｈ（ブルートゥース）、ＩＥＥＥ８０２．１１、ＨｏｍｅＲＦ、又はＩｒＤＡなどの通信規格に対応している。
【００４５】
基地局６００は、事業者により設置されており、必要に応じて事業者と契約した携帯用端末と移動体通信を行い、ネットワーク４００と接続する。基地局６００と携帯用端末３００との移動体通信は、ＣＤＭＡ（Ｃｏｄｅ  Ｄｉｖｉｓｉｏｎ  Ｍｕｌｔｉｐｌｅ  Ａｃｃｅｓｓ）  、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈｎａｄｙ  Ｐｈｏｎｅ）等の通信規格に対応している。
【００４６】
ファイヤウォール（ＦＷ）７００、７０１は必要に応じてネットワーク４００とＭＦＰ１００およびコンピュータ２００との間に接続された情報処理装置であり、ネットワーク４００を介したＭＦＰ１００およびコンピュータ２００への不正なアクセス、ＭＦＰ１００およびコンピュータ２００の保持するデータのネットワーク４００を介した漏洩を規制している。
【００４７】
本実施形態の画像処理システムにおいて、ＭＦＰ１００の設定情報は、ユーザが自由に携帯できる携帯用端末３００を媒介として、コンピュータ２００からＭＦＰ１００に転送される。ＭＦＰ１００は、設定情報に基づいてスキャナで読み取った原稿の画像データに対して画像処理を行う。具体的な処理内容は、後述する。
【００４８】
次に、本実施形態における画像処理システムを構成するプリンタ１００、コンピュータ２００、携帯用端末３００、および認証サーバ５００の構成を示す。各機器で同様の機能を有する部分については、説明の重複を避けるため、初回のみ説明を行い、二回目以降は説明を省略する。
【００４９】
図２は、図１に示されるＭＦＰ１００の構成の一例を示すブロック図である。ＭＦＰ１００は、ＣＰＵ１０１、ＲＯＭ１０２、記憶部１０３、操作パネル部１０４、印刷部１０５、ネットワークインターフェイス１０６、ローカルインターフェイス１０７、スキャナ部１０８、およびオプション機器１０９を有する。
【００５０】
ＣＰＵ１０１は、制御と演算の処理を行う。ＲＯＭ１０２は、制御プログラムを記憶する。記憶部１０３は、例えば、メモリとハードディスクとから構成される。記憶部１０３は、コンピュータ２００から受信されたプリントジョブに含まれる画像データおよび印刷条件を記憶する領域、スキャナ部１０８で読み取った画像データおよび印刷条件を記憶する領域、各種動作を行うための設定値や画像データの送信先アドレスを含む設定情報を記憶する領域、ＭＦＰ１００の利用者を認証するための利用者データや近距離通信を行う外部記憶装置を認証するための端末データを含む認証データを記憶する領域などを有する。
【００５１】
操作パネル部１０４は読出選択入力受付手段、読出個人情報入力受付手段、第２の設定入力受付手段、および読出探索結果表示手段に相当し、ＭＦＰ１００に対して操作を指示するための操作部と、各種の表示を行うための表示部とから構成される。例えば、表示部は、図３の表示制御１２２と協働して、ＭＦＰ１００と近距離通信可能な複数の携帯用端末３００のリスト（以下「通信可能先リスト」という）、図２５に示すような設定画面を表示する。操作部は、図３の操作部制御１２１と協働して、通信可能先リストにリストアップされた携帯用端末３００の中から、実際にＭＦＰ１００と近距離通信する携帯用端末３００を指定したり、設定情報を携帯端末３００から読み出すための認証パスワードを入力したり、携帯端末３００から読み出した設定パラメータの変更を入力するために用いられる。
【００５２】
印刷部１０５は、図３の印刷制御１１９と協働して、プリントジョブに基づいて用紙上に印刷する。ネットワークインターフェイス１０６は、読出識別情報送信手段、画像データ通信手段および識別情報認証結果受信手段に相当し、図３のネットワークインターフェイス（Ｉ／Ｆ）制御１１１と協働して、ＭＦＰ１００がネットワーク４００を介してコンピュータ２００などの他の機器と通信するためのインターフェイスである。
【００５３】
本実施形態のローカルインターフェイス１０７は、読出設定情報受信手段、識別情報受信手段、読出個人情報送信手段に相当し、ローカルインターフェイス３０８又はローカルインターフェイス８０４と協働することで読出設定情報伝送手段、第３の設定情報伝送手段に相当する。ローカルインターフェイス１０７は、図３のローカルインターフェイス（Ｉ／Ｆ）制御１１２と協働して、携帯用端末３００等の外部記憶装置と近距離通信するためのインターフェイスであり、好ましくは、通信可能距離が１０ｍ程度に限定されている無線通信方式あるいは有線通信方式のインターフェイスである。データの高速な伝送の観点、デバイスの相互接続を実現するため厳密に規定されたデバイスプロファイルや、デバイス間で自律的にネットワークを構成するためのサービスディスカバリの仕組みなども用意されている点から、ローカルインターフェイス１０７は、２ＧＨｚよりも高い周波数のもとでデータを伝送するＢｌｕｅｔｏｏｔｈ規格に対応していることが望ましい。
【００５４】
スキャナ部１０８は、イメージセンサを有し、原稿画像をイメージセンサで読み取り、画像データとして出力する。オプション機器１０９は、プリンタ１００本体に付加される多段給紙装置、両面印刷機構、パンチホール装置、メールビン、およびステープルなどの機器である。
【００５５】
図３は、図２に示したＭＦＰ１００の機能を説明するブロック図である。これらの機能は、ＲＯＭ１０２に記憶された制御プログラムに基づいてＣＰＵ１０１が制御と演算の処理を行い、図２に示した各構成と協働することによって実現される。ＭＦＰ１００は、システム制御１１０、ネットワークインターフェイス（Ｉ／Ｆ）制御１１１、ローカルインターフェイス（Ｉ／Ｆ）制御１１２、記憶部制御１１３、設定値管理１１５、通信制御１１６、認証部１１７、スキャナ制御１１８、印刷制御１１９、オプション制御１２０、操作部制御１２１、表示制御１２２、画像処理１２３、実行履歴管理１２４の各機能を有する。
【００５６】
１１０はシステム制御であり、画像処理装置としてサポートしている以下に記すＭＦＰ１００の各種機能全体を管理して、リクエストされた機能のスケジューリング等を行っている。
【００５７】
ネットワークインターフェイス（Ｉ／Ｆ）制御１１１は、図２のネットワークインターフェイス１０６を制御する。ローカルインターフェイス（Ｉ／Ｆ）制御１１２は読出受信制御手段、読出外部記憶装置探索手段に相当し、図２のローカルインターフェイス１０７を制御する。ローカルインターフェイス（Ｉ／Ｆ）制御１１２は、ネットワークインターフェイス１０６と協働して、例えば、ＵＰｄＰ（Ｕｎｉｖｅｒｓａｌ  Ｐｌｕｇ  ａｎｄ  Ｐｌａｙ  ）に規定されたサービスディスカバリ等により、所定のドメイン（例えばコリジョンドメインやブロードキャストドメイン等）内に通信可能な携帯用端末３００等の外部記憶装置の検索処理を行う。
【００５８】
記憶部制御１１３は、記憶部１０３を制御する。設定値管理１１５は第２の設定情報生成手段に相当し、操作パネル部１０４から入力された画像処理内容の設定パラメータに基づいて設定情報を生成する。
【００５９】
通信制御１１６は、ネットワークインターフェイス１０６を介したネットワーク通信、ローカルインターフェイス１０７を介したローカル通信、電話回線（図示ぜす）を介したファクシミリ通信を制御する。
【００６０】
認証部１１７は、識別情報認証手段に相当し、設定情報を携帯用端末３００等の外部記憶装置から読み出そうとするＭＦＰ１００の使用者が使用を許可された者であるかの認証や、設定情報を読み出す携帯端末３００等の外部記憶装置が読み出しを許可された者であるかの認証を行う。具体的には、記憶部１０３に記憶された認証データと、ローカルインターフェイス１０７や操作パネル部から入力された認証パスワードや端末識別情報とを対比し、その対比結果を出力する。
【００６１】
スキャナ制御１１８は、図２のスキャナ部１０８を制御する。印刷制御１１９は図２の印刷部１０５を制御する。オプション制御１２０は、図２のオプション機器１０９を制御する。
【００６２】
操作部制御１２１、表示制御１２２は、操作パネル部１０４を制御する。画像処理１２３は、画像処理制御手段、解像度変換手段に相当し、紙サイズ変換、解像度変換、スムージング処理、編集処理、ファイルフォーマット変換等、特に画像形成時あるいは画像データ送受信時に必要な画像処理を行うか、画像処理回路（図示せず）に上述の画像処理を実行させる。
【００６３】
実行履歴管理１２４は、処理回数計数手段に相当し、どのような設定パラメータで画像データの処理が行われたかの実行結果を記憶部１０３の所定領域に実行履歴として記憶させ、必要に応じて実行履歴の中から所定期間内に特定の画像処理の行われた実績回数を計数する。
【００６４】
図４は、図１に示されるコンピュータの構成の一例を示すブロック図である。コンピュータ２００は、ＣＰＵ２０１、ＲＯＭ２０２、記憶部２０３、入力装置２０４、ディスプレイ２０５、ネットワークインターフェイス２０６、およびローカルインターフェイス２０７を有する。
【００６５】
記憶部２０３は、例えば、ハードディスクとメモリとから構成される。
入力装置２０４は、設定入力受付手段、書込選択入力受付手段、書込個人情報入力受付手段に相当し、マウスなどのポインティングデバイス、キーボード、マイク等の音声入力装置、カメラ等の画像入力装置を含む。例えば、入力装置２０４は図５の入力制御２２４と協働して、ＭＦＰ１００が行う画像処理の設定パラメータを入力するために用いられ、複数の携帯用端末３００のうちから実際に近距離通信する携帯用端末３００を指定するために用いられ、認証パスワードを入力するためにも用いられる。
【００６６】
ディスプレイ２０５は、書込探索結果表示手段に相当し、各種の表示を行う。例えば、ディスプレイ２０５は図５の表示制御２２２と協働して、コンピュータ２００によって近距離通信可能な複数の携帯用端末３００がリストアップされた通信可能先リストを表示したり、図２５に示すような設定画面を表示したりする。
【００６７】
ローカルインターフェイス２０７は、書込個人情報送信手段、書込設定情報送信手段に相当し、ローカルインターフェイス３０８又はローカルインターフェイス８０４と協働することで書込設定情報伝送手段に相当する。
【００６８】
図５は、図４に示したコンピュータ２００の機能を説明するブロック図である。これらの機能は、ＲＯＭ２０２に記憶された制御プログラムに基づいてＣＰＵ２０１が制御と演算の処理を行い、図４に示した各構成と協働することによって実現される。コンピュータ２００は、システム制御２１０、ネットワークインターフェイス（Ｉ／Ｆ）制御２１１、ローカルインターフェイス（Ｉ／Ｆ）制御２１２、記憶部制御２１３、設定値管理２１５、通信制御２１６、認証部２１７、表示制御２２２、画像処理２２３、入力制御２２４、音声処理２２５の各機能を有する。
【００６９】
ローカルインターフェイス（Ｉ／Ｆ）制御２１２は書込外部記憶装置探索手段に相当する。
【００７０】
設定値管理２１５は設定情報生成手段に相当し、入力装置２０４から入力された画像処理内容の設定パラメータに基づいて設定情報を生成する。
【００７１】
画像処理２２３は、入力装置に画像入力装置が使用されている場合、所定の画像処理を行い、音声処理２２５は、入力装置に音声入力装置が使用されている場合、所定の音声処理を行う。
【００７２】
図６は、図１に示される携帯用端末３００の構成の一例を示すブロック図である。
【００７３】
携帯用端末３００は、ＣＰＵ３０１、ＲＯＭ３０２、記憶部３０３、入力キー３０４、マイク３０５、ディスプレイ３０６、スピーカ３０７、ローカルインターフェイス３０８、および無線装置３０９を有する。
【００７４】
記憶部３０３は、設定情報記憶手段、識別情報記憶手段、認証情報記憶手段に相当し、コンピュータ２００やＭＦＰ１００で生成された後に転送されたＭＦＰ１００の設定情報、携帯用端末３００に予め付与された端末ユニークな端末識別情報（例えば、製造番号や電話番号等）、携帯用端末３００等の外部記憶装置の使用者が使用を許可された者であるか否かを判別するための認証情報（例えば、認証パスワードや指紋、声紋、虹彩のパターン情報）を記憶する。
【００７５】
入力キー３０４は書込個人情報入力受付手段、読出個人情報入力受付手段に相当し、各種の入力および操作の指示を行うために使用される。マイク３０５は、音声を入力するために使用される。ディスプレイ３０６は、各種の表示を行う。スピーカ３０７は、各種の音声を出力する。無線装置３０９は認証個人情報送信手段、個人情報認証結果受信手段に相当し、基地局６００を介して外部と信号の送受信を行う。
【００７６】
ローカルインターフェイス３０８は個人情報受信手段、書込設定情報受信手段、識別情報送信手段、読出設定情報送信手段に相当し、ＭＦＰ１００のローカルインターフェイス１０７およびコンピュータ２００のローカルインターフェイス２０７と近距離通信するためのインターフェイスである。好ましくは、ローカルインターフェイス３０８はＢｌｕｅｔｏｏｔｈ規格に対応している。
【００７７】
なお、図６に示される場合と異なり、マイク３０５、スピーカ３０７、および移動体通信用の無線装置３０９を有しないＰＤＡなどを携帯用端末３００として用いることもできる。
【００７８】
図７は、図６に示した携帯用端末３００の機能を説明するブロック図である。これらの機能は、ＲＯＭ３０２に記憶された制御プログラムに基づいてＣＰＵ３０１が制御と演算の処理を行い、図５に示した各構成と協働することによって実現される。携帯用端末３００は、システム制御３１０、ネットワークインターフェイス（Ｉ／Ｆ）制御３１１、ローカルインターフェイス（Ｉ／Ｆ）制御３１２、記憶部制御３１３、通信制御３１６、認証部３１７、操作部制御３２１、表示制御３２２、画像処理３２３、音声処理３２５、無線制御３２６の各機能を有する。
【００７９】
ローカルインターフェイス（Ｉ／Ｆ）制御３１２は書込受信制御手段、読出送信制御手段、書込伝送制御手段、読出伝送制御手段に相当する。
【００８０】
記憶部制御３１３は、識別情報読み出し手段に相当し、記憶部３０３に記憶された識別情報を読み出す。
【００８１】
通信制御３１６は、ローカルインターフェイス３０８を介したローカル通信、無線装置３０９を介した移動体通信を制御する。
【００８２】
認証部３１７は、読出個人情報認証手段、書込個人情報認証手段に相当し、設定情報を携帯用端末３００等の外部記憶装置に書き込もうとするコンピュータ２００の使用者、あるいは設定情報を携帯用端末３００等の外部記憶装置から読み出そうとするＭＦＰ１００の使用者が使用を許可された者であるかの認証を行う。具体的には、記憶部３０３に記憶された認証データと、ローカルインターフェイス３０８や入力キー３０４から入力された認証パスワードとを対比し、その対比結果を出力する。
【００８３】
無線制御３２５は、移動体通信用の無線装置３０９を制御する。
図１０は、図１に示される認証サーバ５００の構成の一例を示すブロック図である。認証サーバ５００は、ＣＰＵ５０１、ＲＯＭ５０２、記憶部５０３、入力装置５０４、ディスプレイ５０５、およびネットワークインターフェイス５０６を有する。
【００８４】
入力装置５０４は、マウスなどのポインティングデバイス、キーボードを含む。ディスプレイ５０５は、各種の表示を行う。
【００８５】
図１１は、図１０に示した認証サーバ５００の機能を説明するブロック図である。これらの機能は、ＲＯＭ５０２に記憶された制御プログラムに基づいてＣＰＵ５０１が制御と演算の処理を行い、図１０に示した各構成と協働することによって実現される。認証サーバ５００は、システム制御５１０、ネットワークインターフェイス（Ｉ／Ｆ）制御５１１、記憶部制御５１３、通信制御５１６、認証部５１７、表示制御５２２、入力制御５２４の各機能を有する。
【００８６】
認証部５１７は、設定情報を携帯用端末３００等の外部記憶装置に書き込もうとするコンピュータ２００の使用者、あるいは設定情報を携帯用端末３００等の外部記憶装置から読み出そうとするＭＦＰ１００の使用者が使用を許可された者であるかの認証、および設定情報を読み出しあるいは書き込みしようとする携帯端末３００等の外部記憶装置が読み出しあるいは書き込みを許可された者であるかの認証を行う。具体的には、記憶部５０３に記憶された認証データと、ネットワークインターフェイス５０６にネットワーク４００を介して送信された認証パスワードや端末識別情報とを対比し、その対比結果を出力する。
【００８７】
以上のように構成される本実施形態の画像処理システムは、以下のように機能する。
１）コンピュータ２００は、ローカルインターフェイス２０７を経て、上述した設定情報を携帯用端末３００に送信する。携帯用端末３００は、ローカルインターフェイス３０８を経て、設定情報を受信する。受信された設定情報とは、記憶部３０３に記憶される。
２）設定情報を記憶した携帯用端末３００を所持したユーザがＭＦＰ１００の近くに移動した後、携帯用端末３００は、ローカルインターフェイス３０８を経て、設定情報をＭＦＰ１００に送信する。ＭＦＰ１００は、ローカルインターフェイス１０７を経て、この設定情報を受信する。受信された設定情報は、ＭＦＰ１００内の記憶部１０３に記憶される。
３）記憶された設定情報に基づき、ＭＦＰ１００で画像処理が実行される。
【００８８】
図１２には、設定情報の例を示す。本発明の設定情報は、本発明の画像処理システムが、原稿画像を読み取ることにより得られた画像データに対して画像処理を行うに際して必要となる画像処理内容の設定項目に対応した設定値をデータ化したものであり、中でもユーザが変更可能な設定項目に対応した設定値をデータ化したものである。設定情報のデータフォーマットは公知のデータフォーマット及び記述方式を使うことが可能であるが、本実施形態では説明を容易くするために簡略化した記述を示している。
【００８９】
本実施形態における設定情報には画像処理内容の設定項目とその設定値が含まれる。設定項目は例えば（カッコ内は図中表記）、原稿画像を読み取る際の解像度（解像度）、原稿画像の用紙サイズ（原稿サイズ）、画像データの出力方法（出力方法）、原稿画像が片面原稿であるか両面原稿であるかの区別（両面原稿／片面原稿）、複数ページ分の原稿画像データの合成処理内容（ページ編集）、原稿画像の用紙種別（用紙種別）、画像データを他所へ転送する場合の送信先アドレス帳（送信先アドレス１〜送信先アドレスＮ）である。
【００９０】
原稿画像を読み取る際の解像度の設定値は、例えば「ｅｃｏｎｏｍｙ（粗い）」、「ｎｏｒｍａｌ（中間）」、「ｆｉｎｅ（精細）」、「ｓｕｐｅｒ  ｆｉｎｅ（高精細）」、「ｄｅｆａｕｌｔ（初期値を継承）」などがあり、設定値の変更により、スキャナ部１０８の動作や、画像処理１２３における画像処理アルゴリズムが変更されることになる。本実施形態では「ｄｅｆａｕｌｔ」であり、ＭＦＰ１００の初期値をそのまま継承する設定値となっている。
【００９１】
原稿画像の用紙サイズの設定値は、例えば「Ａ４」「Ａ３」「Ｂ４」「Ｂ５」といった定型用紙サイズ、「Ａｕｔｏ（自動検知）」などがあり、設定値の変更により、オプション機器１０９に含まれる自動原稿送り装置の稼働タイミングや、印刷部１０５の用紙搬送タイミング等が変更されることになる。本実施形態では「ｄｅｆａｕｌｔ」となっている。
【００９２】
画像データの出力方法は、原稿を読み取った画像データをどのように出力するかの選択であり、「コピー」「ｅ−ｍａｉｌ送信」「サーバ送信」「保存」「ファクシミリ送信」などがあり、例えば「コピー」が選択された場合には、画像データはＭＦＰ１００の画像処理機能１２３により画像処理された後、印刷部１０５で用紙上に像形成されることになり、「ｅ−ｍａｉｌ送信」や「サーバ送信」が選択された場合には、画像データは画像処理１２３機能で画像処理された後、ネットワークインターフェイス１０６を介してネットワーク４００に接続された所定アドレスの情報処理装置に転送されることになる。本実施形態では「ｅ−ｍａｉｌ」となっており、ｅ−ｍａｉｌ送信が選択された設定値となっている。
【００９３】
原稿画像が片面原稿であるか両面原稿であるかの区別の設定値は、例えば「両面原稿」、「片面原稿」、「Ａｕｔｏ（自動）」、「ｄｅｆａｕｌｔ（初期値を継承）」などがあり、設定値の変更により、スキャナ部１０８の動作や、画像処理１２３における画像処理アルゴリズム、記憶部制御５１３の制御アルゴリズムが変更されることになる。本実施形態では「両面」となっており、両面原稿が選択された設定値となっている。
【００９４】
複数ページ分の原稿画像データの合成処理内容の設定値は、例えば「２ｉｎ１」、「４ｉｎ１」、「中綴じ」、「ｄｅｆａｕｌｔ（初期値を継承）」などがあり、設定値の変更により画像処理１２３における画像処理アルゴリズム、記憶部制御５１３の制御アルゴリズムが変更されることになる。本実施形態では「２ｉｎ１」となっており、２ページ分の原稿画像データを１ページ分の画像データに合成する処理が選択された設定値となっている。
【００９５】
原稿画像の用紙種別の設定値は、例えば「普通紙」、「ＯＨＰ」、「厚紙」、「Ａｕｔｏ（自動）」、「ｄｅｆａｕｌｔ（初期値を継承）」などがあり、設定値の変更により、オプション機器１０９に含まれる自動原稿送り装置の原稿搬送経路等が変更されることになる。本実施形態では「ｄｅｆａｕｌｔ」となっている。
【００９６】
画像データを他所へ転送する場合の送信先アドレス帳の設定値は、ｅ−ｍａｉｌアドレスや電話番号、サーバのＩＰ（Ｉｎｔｅｒｎｅｔ  Ｐｒｏｔｏｃｏｌ）アドレス、サーバのファイルディレクトリ名などがあり、出力方法と関連づけられていることが好ましい。また、送信先アドレス帳の設定値は、上記の設定項目とは独立したデータとして取り扱われるようにすることで、送信先アドレス帳のみを携帯用端末３００等の外部記憶装置を使って読み出し、書き込みすることも可能となる。
【００９７】
次に、コンピュータ２００と携帯用端末３００との通信、携帯用端末３００とＭＦＰ１００との通信に大別して具体的な処理内容を説明する。
【００９８】
図１３は、第１の実施の形態におけるコンピュータと携帯用端末とが通信する場合のコンピュータの処理内容を説明するフローチャートである。図１３に示されるフローチャートの内容は、ＲＯＭ２０２に制御プログラムとして記憶されており、ＣＰＵ２０１によって実行される。
【００９９】
ステップＳ１０１では、コンピュータ２００の入力装置２０４から、ＭＦＰ１００で行う画像処理内容の設定値が設定項目毎に入力される。
【０１００】
ステップＳ１０２では、コンピュータ２００と近距離通信可能な携帯用端末３００がリストアップされた通信可能先リストがディスプレイ２０５に表示される。
【０１０１】
ステップＳ１０３では、通信可能先リストにリストアップされた携帯用端末３００のうちから設定情報の送信先である携帯用端末３００が指定されたか否かが判断される。携帯用端末３００は、送信先指定手段として機能する入力装置２０４を用いて指定される。より具体的には、ディスプレイ２０５上において所望の携帯用端末３００に対応する表示箇所をポインティングデバイスでクリックすることによって、送信先である携帯用端末３００が指定される。
【０１０２】
ステップＳ１０４では、指定された携帯用端末３００による利用者チェックを受ける処理が実行される。
【０１０３】
ステップＳ１０５では、ローカルインターフェイス２０７を経て、上述した設定情報がコンピュータ２００から携帯用端末３００に送信される。さらに、ユーザの指示に応じて、コンピュータ２００は、上述した最新ドライバ選択指示および自動更新指示を携帯用端末３００に送信する。
【０１０４】
なお、ステップＳ１０４の利用者チェックにおいては、後述の如く、第１〜第４の形態がある。
【０１０５】
図１４は、図１３のステップＳ１０２の通信可能先リストを自動的に作成し、表示する処理に対応するサブルーチンを説明するフローチャートである。なお、コンピュータ２００における通信可能先リストは、コンピュータ２００による設定情報の送信が可能な外部記憶装置のリストに相当する。ステップＳ２０１〜Ｓ２０９はコンピュータ２００におけるサブルーチンであり、ステップＳ２１０〜Ｓ２１２はそれに対応する携帯用端末３００での処理である。
【０１０６】
ステップＳ２０１では、ローカルインターフェイス２０７に接続可能な携帯用端末３００があるか否かが判断される。例えば、ＵＰｄＰ（ＵｎｉｖｅｒｓａｌＰｌｕｇ  ａｎｄ  Ｐｌａｙ  ）規格やブルートゥースに規定されるのサービスディスカバリ機能により、通信可能な形態用端末３００等の外部記憶装置が存在するか否かを調べる。これにより、接続能な範囲に存在する外部記憶装置であれば、その装置アドレスを取得することができる。ここで、ＵＰｄＰとは、ビデオデッキ、テレビ、ディジタルカメラ等の家電機器、電話機、パソコン等を連携して使用できるようにするための仕様のことである。ローカルインターフェイス２０７に接続可能な携帯用端末３００が存在する場合には（ステップＳ２０１：ＹＥＳ）、ステップＳ２０２の処理が実行される。一方、接続可能な携帯用端末３００が存在しない場合には（ステップＳ２０１：ＮＯ）、後述するステップＳ２０８の処理が実行される。
【０１０７】
ステップＳ２０２では、ローカルインターフェイス２０７に接続可能な携帯用端末３００のうちから一つずつ携帯用端末３００が自動的に選択される。
【０１０８】
ステップＳ２０３では、ステップＳ２０２で選択された携帯用端末３００に対して識別情報の送信が要求される。
【０１０９】
ステップＳ２０４では、ステップＳ２０３で識別情報を送信するように要求を受けた携帯用端末３００から識別情報が受信されたか否かが判断される。識別情報が受信された場合（ステップＳ２０４：ＹＥＳ）、ステップＳ２０５の処理が実行される。一定時間が経過しても識別情報が受信されない場合（ステップＳ２０４：ＮＯ）、ステップＳ２０６の処理が実行される。
【０１１０】
ステップＳ２０５では、識別情報が受信された携帯用端末３００が通信可能な携帯用端末３００として通信可能先テーブルに登録される。
【０１１１】
ステップＳ２０６では、ローカルインターフェイス２０７に接続可能な携帯用端末３００のすべての選択が完了したか否かが判断される。未だ選択されていない携帯用端末３００がある場合には（ステップＳ２０６：ＮＯ）、ステップＳ２０２〜ステップＳ２０５の処理が繰り返し実行される。この結果、ローカルインターフェイス２０７に接続可能な携帯用端末３００が複数ある場合には、各携帯用端末３００別にステップＳ２０２〜Ｓ２０５の処理が実行される。一方、すべての携帯用端末３００の選択が完了した場合には（ステップＳ２０６：ＹＥＳ）、ステップＳ２０７の処理が実行される。
【０１１２】
ステップＳ２０７では、通信可能先テーブルに携帯用端末３００が登録されているか否かが判断される。携帯用端末３００が登録されていない場合には（ステップＳ２０７：ＮＯ）、ステップＳ２０８の処理が実行される。携帯用端末３００が登録されている場合には、ステップＳ２０９の処理が実行される。
【０１１３】
ステップＳ２０８では、通信可能な携帯用端末３００がない旨がディスプレイ２０５に表示され、ここで処理を終了する。
【０１１４】
一方、ステップＳ２０９では、通信可能先テーブルの内容に基づいて通信可能先リストがディスプレイ２０５に表示され、メインルーチンに戻る。
【０１１５】
ステップＳ２１０では、携帯用端末３００に設けられたローカルインターフェイス３０８にコンピュータ２００が接続されたか否かが判断される。ローカルインターフェイス３０８にコンピュータ２００が接続されるのを待って（ステップＳ２１０：ＹＥＳ）、ステップＳ２１１の処理が実行される。
【０１１６】
ステップＳ２１１では、識別情報の送信要求がローカルインターフェイス３０８を経て、受信されたか否かが判断される。識別情報の送信要求が受信されるのを待って（ステップＳ２１１：ＹＥＳ）、ステップＳ２１２の処理が実行される。
【０１１７】
ステップＳ２１３では、ローカルインターフェイス３０８を経て、識別情報が送信される。識別情報には、携帯用端末３００の種類に関する情報、および携帯用端末３００毎に設定されるべき電話番号ならびにユーザ登録名を含めることができる。
【０１１８】
図１５には、通信可能先リストの表示例を示す。
図１５に示された例では、設定情報を送信可能な携帯用端末３００等外部記憶装置の種類および詳細情報がディスプレイ２０５に表示されている。具体的には、携帯電話、ＰＨＳ（登録商標）、ＰＤＡ、又はノート型コンピュータ（ＰＣ）などの携帯用端末３００、外部メモリ８００（後述）の種類が表示される。詳細情報として、携帯電話およびＰＨＳの電話番号や、ＰＤＡおよびＰＣ内部に登録されているユーザ名などが表示される。したがって、ユーザは、この通信可能先リストを見ることによって、近距離通信を希望する携帯用端末３００をディスプレイ２０５上で簡単に指定することができる。なお、携帯用端末３００の種類および詳細情報は、例えば、図１４のステップＳ２０４においてコンピュータ２００が携帯用端末３００から受信した識別情報の内容に基づいて表示される。
【０１１９】
図１６は、図１３のステップＳ１０４の利用者チェックを受ける処理に対応するサブルーチンの第１の形態を説明するフローチャートである。第１の形態においては、ユーザによる認証パスワードの入力をコンピュータ２００の入力装置において行い、認証パスワードの認証を携帯用端末３００の認証部３１７において行うものである。ステップＳ３０１〜Ｓ３０４はコンピュータ２００におけるサブルーチンであり、ステップＳ３０５〜Ｓ３０９はそれに対応する携帯用端末３００における処理である。
【０１２０】
ステップＳ３０１では、携帯用端末３００による利用者チェックが実行されるか否かが判断される。利用者チェックが実行されるか否かは、例えば、認証パスワードを要求する信号が携帯用端末３００から受信されているか否かによって判断される。利用者チェックが実行されない場合（ステップＳ３０１：ＮＯ）、そのままリターンがされる。一方、利用者チェックが実行される場合（ステップＳ３０１：ＹＥＳ）、ステップＳ３０２の処理が実行される。
【０１２１】
ステップＳ３０２では、認証パスワードがユーザによって入力されたか否かが判断される。認証パスワードの入力には、入力装置２０４が用いられる。認証パスワードの入力がされるのを待って（ステップＳ３０２：ＹＥＳ）、ステップＳ３０３の処理が実行される。ここで、認証パスワードは本発明の個人情報に相当するもので、例えば、予め設定された文字列であるが、個人情報としては認証パスワード以外に指紋、声紋、虹彩などの生態認証、およびこれらの組み合わせを使うことも可能である。認証パスワードは、各携帯用端末３００別に設定され、各携帯用端末３００内の記憶部３０３に記憶されている。各携帯用端末３００は、認証パスワードを送信したコンピュータ２００にのみアクセスを許可することによって、セキュリティ及び所望の携帯用端末３００への設定情報送信を確保する。
【０１２２】
ステップＳ３０３では、認証パスワードがローカルインターフェイス２０７を経て携帯用端末３００へ送信される。
【０１２３】
ステップＳ３０４では、認証パスワードを受信した携帯用端末３００からアクセスを許可する旨の信号を受信したか否かが判断される。アクセスを許可する旨の信号が受信されるのを待って（ステップＳ３０４：ＹＥＳ）、リターンがされる。
【０１２４】
ステップＳ３０５では、ステップＳ３０３でコンピュータ２００から送信された認証パスワードが、ローカルインターフェイス３０８を経て、受信されているか否かが判断される。認証パスワードが受信された場合には（ステップＳ３０５：ＹＥＳ）、ステップＳ３０６の処理が実行される。一方、一定期間経過しても認証パスワードが受信されない場合には（ステップＳ３０５：ＮＯ）、ステップＳ３０９の処理が実行される。
【０１２５】
ステップＳ３０６では、記憶部３０３内に予め記憶されている利用者データを読み出す。本実施の形態において利用者データは文字列であるが、本発明の個人情報を認証するための情報に相当し、個人情報が前述の如く指紋、声紋、虹彩などの生態認証、およびこれらの組み合わせを使う場合には、利用者データもこれに準じる。
【０１２６】
ステップＳ３０７では、受信された文字列と記憶部３０３内に予め記憶されている文字列とが比較される。比較の結果、両者が一致する場合には、認証パスワードが受信されたと判断された場合には（ステップＳ３０７：ＹＥＳ）、ステップＳ３０８の処理が実行される。一方、両者が一致しない場合には（ステップＳ３０７：ＮＯ）、認証パスワードを受信していないと判断され、ステップＳ３０９の処理が実行される。
【０１２７】
ステップＳ３０８では、認証パスワードを送信したコンピュータ２００に対して、ローカルインターフェイス３０８を経て、アクセスを許可する旨の信号が送信される。
【０１２８】
ステップＳ３０９では、接続が切断される。なお、認証パスワードと異なる文字列が送られてきた場合には、「正しい認証パスワードを入力してください」といったメッセージをコンピュータ２００に送信することができる。
【０１２９】
以上の処理によって、コンピュータ２００は、リストアップされた携帯用端末３００のうちから指定される携帯用端末と近距離通信することができる。この結果、コンピュータ２００は、ローカルインターフェイス２０７を経て、上記の設定情報を携帯用端末３００に送信することができる。
【０１３０】
なお、この形態においては、入力装置２０４が書込個人情報入力受付手段に相当し、認証部３１７が書込個人情報認証手段に相当する。
【０１３１】
図１７は、図１３のステップＳ１０４の利用者チェックを受ける処理に対応するサブルーチンの第２の形態を説明するフローチャートである。第２の形態においては、ユーザによる認証パスワードの入力を携帯用端末の入力キー３０４において行い、認証パスワードの認証を携帯用端末３００の認証部３１７において行うものである。
【０１３２】
本実施形態の認証パスワードとは、ステップＳ４０１〜Ｓ４０２はコンピュータ２００におけるサブルーチンであり、ステップＳ４０３〜Ｓ４０７はそれに対応する携帯用端末３００における処理である。
【０１３３】
ステップＳ４０１では、携帯用端末３００による利用者チェックが実行されるか否かが判断される。利用者チェックが実行されない場合（ステップＳ４０１：ＮＯ）、そのままリターンがされる。一方、利用者チェックが実行される場合（ステップＳ４０１：ＹＥＳ）、ステップＳ４０２の処理が実行される。
【０１３４】
ステップＳ４０２では、認証パスワードを受信した携帯用端末３００からアクセスを許可する旨の信号を受信したか否かが判断される。アクセスを許可する旨の信号が受信されるのを待って（ステップＳ４０２：ＹＥＳ）、リターンがされる。
【０１３５】
ステップＳ４０３では、認証パスワードがユーザによって入力されたか否かが判断される。認証パスワードの入力には、入力キー３０４が用いられる。認証パスワードの入力がされるのを待って（ステップＳ４０３：ＹＥＳ）、ステップＳ４０４の処理が実行される。ここでも、認証パスワードは予め設定された文字列であるが、認証パスワード以外に指紋、声紋、虹彩などの生態認証、およびこれらの組み合わせを使うことも可能である。
【０１３６】
ステップＳ４０４では、記憶部３０３内に予め記憶されている利用者データを読み出す。
【０１３７】
ステップＳ４０５では、入力された文字列と記憶部３０３内に予め記憶されている文字列とが比較される。比較の結果、両者が一致する場合には、認証パスワードが入力されたと判断された場合には（ステップＳ４０５：ＹＥＳ）、ステップＳ４０６の処理が実行される。一方、両者が一致しない場合には（ステップＳ４０５：ＮＯ）、認証パスワードを受信していないと判断され、ステップＳ４０７の処理が実行される。
【０１３８】
ステップＳ４０６では、認証パスワードを送信したコンピュータ２００に対して、ローカルインターフェイス３０８を経て、アクセスを許可する旨の信号が送信される。
【０１３９】
ステップＳ４０８では、接続が切断される。
なお、この形態においては、入力キー３０４が書込個人情報入力受付手段に相当し、認証部３１７が書込個人情報認証手段に相当する。
【０１４０】
図１８は、図１３のステップＳ１０４の利用者チェックを受ける処理に対応するサブルーチンの第３の形態を説明するフローチャートである。第３の形態においては、ユーザによる認証パスワードの入力をコンピュータ２００の入力装置において行い、認証パスワードの認証を認証サーバ５００の認証部５１７において行うものである。ステップＳ５０１〜Ｓ５０４はコンピュータ２００におけるサブルーチンであり、ステップＳ５０５〜Ｓ５０９はそれに対応する携帯用端末３００における処理であり、ステップＳ５１０〜Ｓ５１３はそれに対応する認証サーバ５００における処理である。
【０１４１】
ステップＳ５０１では、携帯用端末３００による利用者チェックが実行されるか否かが判断される。利用者チェックが実行されない場合（ステップＳ５０１：ＮＯ）、そのままリターンがされる。一方、利用者チェックが実行される場合（ステップＳ５０１：ＹＥＳ）、ステップＳ５０２の処理が実行される。
【０１４２】
ステップＳ５０２では、認証パスワードがユーザによって入力されたか否かが判断される。認証パスワードの入力には、入力装置２０４が用いられる。認証パスワードの入力がされるのを待って（ステップＳ５０２：ＹＥＳ）、ステップＳ５０３の処理が実行される。
【０１４３】
ステップＳ５０３では、認証パスワードがローカルインターフェイス２０７を経て携帯用端末３００へ送信される。
【０１４４】
ステップＳ５０４では、認証パスワードを受信した携帯用端末３００からアクセスを許可する旨の信号を受信したか否かが判断される。アクセスを許可する旨の信号が受信されるのを待って（ステップＳ５０４：ＹＥＳ）、リターンがされる。
【０１４５】
ステップＳ５０５では、ステップＳ５０３でコンピュータ２００から送信された認証パスワードが、ローカルインターフェイス３０８を経て、受信されているか否かが判断される。認証パスワードが受信された場合には（ステップＳ５０５：ＹＥＳ）、ステップＳ５０６の処理が実行される。一方、一定期間経過しても認証パスワードが受信されない場合には（ステップＳ５０５：ＮＯ）、ステップＳ５０９の処理が実行される。
【０１４６】
ステップＳ５０６では、認証パスワードが無線装置３０９、基地局６００、ネットワーク４００を経て認証サーバ５００へ送信される。
【０１４７】
ステップＳ５０７では、認証パスワードを受信した認証サーバ５００からアクセスを許可する旨の信号を受信したか否かが判断される。アクセスを許可する旨の信号が受信された判断された場合には（ステップＳ５０７：ＹＥＳ）、ステップＳ５０８の処理が実行される。一方、一定期間経過してもアクセスを許可する旨の信号を受信されない場合には（ステップＳ５０７：ＮＯ）、ステップＳ５０９の処理が実行される。
【０１４８】
ステップＳ５０８では、認証パスワードを送信したコンピュータ２００に対して、ローカルインターフェイス３０８を経て、アクセスを許可する旨の信号が送信される。
【０１４９】
ステップＳ５０９では、接続が切断される。なお、認証パスワードと異なる文字列が送られてきた場合には、「正しい認証パスワードを入力してください」といったメッセージをコンピュータ２００に送信することができる。
【０１５０】
ステップＳ５１０では、ステップＳ５０６で携帯用端末３００から送信された認証パスワードが、ネットワークインターフェイス５０６を経て、受信されているか否かが判断される。認証パスワードが受信された場合には（ステップＳ５１０：ＹＥＳ）、ステップＳ５１１の処理が実行される。一方、一定期間経過しても認証パスワードが受信されない場合には（ステップＳ５１０：ＮＯ）、処理が終了される。
【０１５１】
ステップＳ５１１では、記憶部５０３内に予め記憶されている利用者データが読み出される。
【０１５２】
ステップＳ５１２では、認証部５１７において、受信された文字列と記憶部５０３内に予め記憶されている文字列とが比較される。比較の結果、両者が一致する場合には（ステップＳ５１２：ＹＥＳ）、認証パスワードが受信されたと判断され、ステップＳ５１３の処理が実行される。一方、両者が一致しない場合には（ステップＳ５１２：ＮＯ）、認証パスワードを受信されていないと判断され、処理が終了される。
【０１５３】
ステップＳ５１３では、認証パスワードを送信した携帯用端末３００に対して、ネットワークインターフェイス５０６を経て、アクセスを許可する旨の信号が送信される。
【０１５４】
以上の処理によって、コンピュータ２００は、リストアップされた携帯用端末３００のうちから指定される携帯用端末と近距離通信することができる。この結果、コンピュータ２００は、ローカルインターフェイス２０７を経て、上記の設定情報を携帯用端末３００に送信することができる。
【０１５５】
なお、この形態においては、入力装置２０４が書込個人情報入力受付手段に相当し、認証部５１７が書込個人情報認証手段に相当する。
【０１５６】
図１９は、図１３のステップＳ１０４の利用者チェックを受ける処理に対応するサブルーチンの第４の形態を説明するフローチャートである。第４の形態においては、ユーザによる認証パスワードの入力を携帯用端末の入力キー３０４において行い、認証パスワードの認証を認証サーバ５００の認証部５１７において行うものである。ステップＳ６０１〜Ｓ６０２はコンピュータ２００におけるサブルーチンであり、ステップＳ６０３〜Ｓ６０７はそれに対応する携帯用端末３００における処理であり、ステップＳ６０８〜Ｓ６１１はそれに対応する認証サーバ５００における処理である。
【０１５７】
ステップＳ６０１では、携帯用端末３００による利用者チェックが実行されるか否かが判断される。利用者チェックが実行されない場合（ステップＳ６０１：ＮＯ）、そのままリターンがされる。一方、利用者チェックが実行される場合（ステップＳ６０１：ＹＥＳ）、ステップＳ６０２の処理が実行される。
【０１５８】
ステップＳ６０２では、認証パスワードを受信した携帯用端末３００からアクセスを許可する旨の信号を受信したか否かが判断される。アクセスを許可する旨の信号が受信されるのを待って（ステップＳ６０２：ＹＥＳ）、リターンがされる。
【０１５９】
ステップＳ６０３では、認証パスワードがユーザによって入力されたか否かが判断される。認証パスワードの入力には、入力キー３０４が用いられる。認証パスワードの入力がされるのを待って（ステップＳ６０３：ＹＥＳ）、ステップＳ６０４の処理が実行される。
【０１６０】
ステップＳ６０４では、認証パスワードが無線装置３０９、基地局６００、ネットワーク４００を経て認証サーバ５００へ送信される。
【０１６１】
ステップＳ６０５では、認証パスワードを受信した認証サーバ５００からアクセスを許可する旨の信号を受信したか否かが判断される。アクセスを許可する旨の信号が受信された判断された場合には（ステップＳ６０５：ＹＥＳ）、ステップＳ６０６の処理が実行される。一方、一定期間経過してもアクセスを許可する旨の信号を受信されない場合には（ステップＳ６０６：ＮＯ）、ステップＳ６０７の処理が実行される。
【０１６２】
ステップＳ６０６では、認証パスワードを送信したコンピュータ２００に対して、ローカルインターフェイス３０８を経て、アクセスを許可する旨の信号が送信される。
【０１６３】
ステップＳ６０７では、接続が切断される。なお、認証パスワードと異なる文字列が送られてきた場合には、「正しい認証パスワードを入力してください」といったメッセージをコンピュータ２００に送信することができる。
【０１６４】
ステップＳ６０８では、ステップＳ６０４で携帯用端末３００から送信された認証パスワードが、ネットワークインターフェイス５０６を経て、受信されているか否かが判断される。認証パスワードが受信された場合には（ステップＳ６０８：ＹＥＳ）、ステップＳ６０９の処理が実行される。一方、一定期間経過しても認証パスワードが受信されない場合には（ステップＳ６０８：ＮＯ）、処理が終了される。
【０１６５】
ステップＳ６０９では、記憶部５０３内に予め記憶されている利用者データが読み出される。
【０１６６】
ステップＳ６１０では、認証部５１７において、受信された文字列と記憶部５０３内に予め記憶されている文字列とが比較される。比較の結果、両者が一致する場合には（ステップＳ６１０：ＹＥＳ）、認証パスワードが受信されたと判断され、ステップＳ６１１の処理が実行される。一方、両者が一致しない場合には（ステップＳ６１０：ＮＯ）、認証パスワードを受信されていないと判断され、処理が終了される。
【０１６７】
ステップＳ６１１では、認証パスワードを送信した携帯用端末３００に対して、ネットワークインターフェイス５０６を経て、アクセスを許可する旨の信号が送信される。
【０１６８】
以上の処理によって、コンピュータ２００は、リストアップされた携帯用端末３００のうちから指定される携帯用端末と近距離通信することができる。この結果、コンピュータ２００は、ローカルインターフェイス２０７を経て、上記の設定情報を携帯用端末３００に送信することができる。
【０１６９】
なお、この形態においては、入力キー３０４が書込個人情報入力受付手段に相当し、認証部５１７が書込個人情報認証手段に相当する。
【０１７０】
図２０は、第１の実施の形態におけるＭＦＰ１００と携帯用端末３００とが通信を行う場合のＭＦＰ１００の処理内容を説明するフローチャートである。図２０に示されるフローチャートの内容は、ＲＯＭ１０２に制御プログラムとして記憶されており、ＣＰＵ１０１によって実行される。
【０１７１】
ステップＳ７０１では、ＭＦＰ１００と近距離通信可能な携帯用端末３００がリストアップされた通信可能先リストが操作パネル部１０４に表示される。
【０１７２】
ステップＳ７０２では、通信可能先リストにリストアップされた携帯用端末３００のうちから設定情報の送信先である携帯用端末３００が指定されたか否かが判断される。携帯用端末３００は、読出選択入力受付手段として機能する操作部パネル１０４を用いて指定される。より具体的には、操作部パネル１０４において所望の携帯用端末３００に対応する表示箇所をタッチパネル等で指定することによって、送信先である携帯用端末３００が指定される。
【０１７３】
ステップＳ７０３では、指定された携帯用端末３００による利用者チェックを受ける処理が実行される。
【０１７４】
ステップＳ７０４では、指定された携帯用端末３００が設定情報の読み出しを許可されたものであるか否かのチェックを行う処理が実行される。
【０１７５】
ステップＳ７０５では、ローカルインターフェイス１０７を経て、上述した設定情報が携帯用端末３００からＭＦＰ１００に送信される。
【０１７６】
ステップＳ７０６では、送信された設定情報に基づいて、ＭＦＰ１００で画像処理が実行される。
【０１７７】
なお、ステップＳ７０４の利用者チェックにおいては、図１３のステップＳ１０４と同様、第１〜第４の形態があるが、携帯用端末３００とコンピュータ２００との間の処理ではなく、携帯用端末３００とプリンタ１００との間の処理である点を除いて、図１６〜図１９の処理と同様である。したがって、繰り返しを避けるために詳しい説明を省略する。ただし、第１の形態においては、操作部パネル１０４が読出個人情報入力受付手段、認証部３１７が読出個人情報認証手段に相当し、第２の形態においては、入力キー３０４が読出個人情報入力受付手段、認証部３１７が読出個人情報認証手段に相当し、第３の形態においては、操作部パネル１０４が読出個人情報入力受付手段、認証部５１７が読出個人情報認証手段に相当し、第４の形態においては、入力キー３０４が読出個人情報入力受付手段に相当し、認証部５１７が読出個人情報認証手段に相当する。
【０１７８】
また、ステップＳ７０４の携帯用端末チェックにおいては、後述の如く、第１及び第２の形態がある。
【０１７９】
図２１は、図２０のステップＳ７０１の通信可能先リストを自動的に作成し、表示する処理に対応するサブルーチンを説明するフローチャートである。なお、ＭＦＰ１００における通信可能先リストは、ＭＦＰ１００による設定情報の受信が可能な外部記憶装置のリストに相当する。ステップＳ８０１〜Ｓ８０９はＭＦＰ１００におけるサブルーチンであり、ステップＳ８１０〜Ｓ８１２はそれに対応する携帯用端末３００での処理である。なお、携帯用端末３００とコンピュータ２００との間の処理ではなく、携帯用端末３００とＭＦＰ１００との間の処理である点を除いて、図１４の処理と同様である。したがって、繰り返しを避けるために詳しい説明を省略する。
【０１８０】
図２２は、図２０のステップＳ７０４の携帯用端末チェックを行う処理に対応するサブルーチンの第１の形態を説明するフローチャートである。第１の形態においては、携帯用端末３００の識別情報の認証をＭＦＰ１００の認証部１１７において行うものである。ステップＳ９０１〜Ｓ９０３は携帯用端末３００における処理であり、ステップＳ９０４〜Ｓ９０８はそれに対応するＭＦＰ１００におけるサブルーチン処理である。
【０１８１】
ステップＳ９０１では、携帯用端末３００の記憶部３０３に記憶された端末識別情報が、ローカルインターフェイス３０８を経てＭＦＰ１００へ送信される。なお、端末識別情報は、予め携帯用端末３００等の外部記憶装置に付与された端末ユニークな情報で、例えば、製造番号や電話番号等であり、ＲＯＭ３０２に記憶されていてもかまわない。
【０１８２】
ステップＳ９０２では、端末識別情報を受信したＭＦＰ１００からアクセスを許可する旨の信号を受信したか否かが判断される。アクセスを許可する旨の信号が受信されるのを待って（ステップＳ９０２：ＹＥＳ）、ステップＳ９０３の処理が実行される。一方、一定期間経過してもアクセスを許可する旨の信号が受信されない場合には（ステップＳ９０２：ＮＯ）、処理が終了される。
【０１８３】
ステップＳ９０３では、記憶部３０３に記憶された設定情報がローカルインターフェイス３０８を経てＭＦＰ１００へ送信される。
【０１８４】
ステップＳ９０４では、ステップＳ９０１で携帯用端末３００から送信された端末識別情報が、ローカルインターフェイス１０７を経て、受信されているか否かが判断される。端末識別情報が受信された場合には（ステップＳ９０４：ＹＥＳ）、ステップＳ９０５の処理が実行される。一方、一定期間経過しても認証パスワードが受信されない場合には（ステップＳ９０４：ＮＯ）、ステップＳ９０８の処理が実行される。
【０１８５】
ステップＳ９０５では、記憶部１０３内に予め記憶されている端末データを読み出す。本実施の形態において端末データは文字列であるが、本発明の識別情報を認証するための情報に相当する。
【０１８６】
ステップＳ９０６では、受信された文字列と記憶部１０３内に予め記憶されている文字列とが比較される。比較の結果、両者が一致する場合には（ステップＳ９０６：ＹＥＳ）、ステップＳ９０７の処理が実行される。一方、両者が一致しない場合には（ステップＳ９０６：ＮＯ）、ステップＳ９０８の処理が実行される。
【０１８７】
ステップＳ９０７では、端末識別情報を送信した携帯用端末３００に対して、ローカルインターフェイス１０７を経て、アクセスを許可する旨の信号が送信される。
【０１８８】
ステップＳ９０８では、接続が切断される。なお、「この端末は使用できません」といったメッセージを操作部パネル１０２に表示することができる。
【０１８９】
以上の処理によって、ＭＦＰ１００は、リストアップされた携帯用端末３００のうちから指定される携帯用端末と近距離通信することができる。この結果、ＭＦＰ１００は、ローカルインターフェイス１０７を経て、上記の設定情報を携帯用端末３００から受信することができる。
【０１９０】
なお、この形態においては、認証部１１７が識別情報認証手段に相当する。
図２３は、図２０のステップＳ７０４の携帯用端末チェックを行う処理に対応するサブルーチンの第２の形態を説明するフローチャートである。第２の形態においては、携帯用端末３００の識別情報の認証を認証サーバ５００の認証部５１７において行うものである。ステップＳ１００１〜Ｓ１００３は携帯用端末３００における処理であり、ステップＳ１００４〜Ｓ１００８はそれに対応するＭＦＰ１００におけるサブルーチン処理であり、ステップＳ１００９〜Ｓ１０１２はそれに対応する認証サーバ５００における処理である。
【０１９１】
ステップＳ１００１では、携帯用端末３００の記憶部３０３に記憶された端末識別情報が、ローカルインターフェイス３０８を経てＭＦＰ１００へ送信される。
【０１９２】
ステップＳ１００２では、端末識別情報を受信したＭＦＰ１００からアクセスを許可する旨の信号を受信したか否かが判断される。アクセスを許可する旨の信号が受信されるのを待って（ステップＳ１００２：ＹＥＳ）、ステップＳ１００３の処理が実行される。一方、一定期間経過してもアクセスを許可する旨の信号が受信されない場合には（ステップＳ１００２：ＮＯ）、処理が終了される。
【０１９３】
ステップＳ１００３では、記憶部３０３に記憶された設定情報がローカルインターフェイス３０８を経てＭＦＰ１００へ送信される。
【０１９４】
ステップＳ１００４では、ステップＳ１００１で携帯用端末３００から送信された端末識別情報が、ローカルインターフェイス１０７を経て、受信されているか否かが判断される。端末識別情報が受信された場合には（ステップＳ１００４：ＹＥＳ）、ステップＳ１００５の処理が実行される。一方、一定期間経過しても端末識別情報が受信されない場合には（ステップＳ１００４：ＮＯ）、ステップＳ１００８の処理が実行される。
【０１９５】
ステップＳ１００５では、端末識別情報がネットワークインターフェイス１０８を経て認証サーバ５００へ送信される。
【０１９６】
ステップＳ１００６では、端末識別情報を受信した認証サーバ５００からアクセスを許可する旨の信号を受信したか否かが判断される。アクセスを許可する旨の信号が受信されるのを待って（ステップＳ１００６：ＹＥＳ）、ステップＳ１００７の処理が実行される。一方、一定期間経過してもアクセスを許可する旨の信号が受信されない場合には（ステップＳ１００４：ＮＯ）、ステップＳ１００８の処理が実行される。
【０１９７】
ステップＳ１００７では、端末識別情報を送信した携帯用端末３００に対して、ローカルインターフェイス１０７を経て、アクセスを許可する旨の信号が送信される。
【０１９８】
ステップＳ１００８では、接続が切断される。なお、「この端末は使用できません」といったメッセージを操作部パネル１０２に表示することができる。
【０１９９】
ステップＳ１００９では、ステップＳ１００５でＭＦＰ１００から送信された端末識別情報が、ネットワークインターフェイス５０６を経て、受信されているか否かが判断される。端末識別情報が受信された場合には（ステップＳ１００９：ＹＥＳ）、ステップＳ１０１０の処理が実行される。一方、一定期間経過しても端末識別情報が受信されない場合には（ステップＳ１００９：ＮＯ）、処理が終了される。
【０２００】
ステップＳ１０１０では、記憶部５０３内に予め記憶されている端末データを読み出す。
【０２０１】
ステップＳ１０１１では、受信された文字列と記憶部５０３内に予め記憶されている文字列とが比較される。比較の結果、両者が一致する場合には（ステップＳ１０１１：ＹＥＳ）、ステップＳ１０１２の処理が実行される。一方、両者が一致しない場合には（ステップＳ１０１１：ＮＯ）、処理が終了される。
【０２０２】
ステップＳ１０１２では、端末識別情報を送信したＭＦＰ１００に対して、ネットワークインターフェイス５０６を経て、アクセスを許可する旨の信号が送信される。
【０２０３】
以上の処理によって、ＭＦＰ１００は、リストアップされた携帯用端末３００のうちから指定される携帯用端末と近距離通信することができる。この結果、ＭＦＰ１００は、ローカルインターフェイス１０７を経て、上記の設定情報を携帯用端末３００から受信することができる。
【０２０４】
なお、この形態においては、ネットワークインターフェイス１０６は読出識別情報送信手段及び識別情報認証結果受信手段に相当し、認証部５１７が識別情報認証手段に相当する。
【０２０５】
図２４は、図２０のステップＳ７０６の画像処理に対応するサブルーチンを説明するフローチャートである。
【０２０６】
Ｓ１１０１では、読み込んだ設定情報に基づく画像処理内容の設定の表示されている操作パネル部１０４（例えば図２５）から、ＭＦＰ１００で行う画像処理内容の設定値が設定項目毎に入力され、設定値管理１１５により設定情報が変更される。画像処理内容の設定は、予めコンピュータ２００で設定された設定値となっているため、利用者は殆ど入力する必要はないが、ＭＦＰ１００を実際に使う状態での設定値を入力できるようにされている。
【０２０７】
Ｓ１１０２では、画像処理内容の設定値に基づく画像処理が実行される。画像処理は、画像処理１２３による画像データの加工処理、印刷部１０５及びオプション機器１０９による画像形成、ネットワークインターフェイス１０６からの画像データ出力、記憶部１０３による画像データ記憶などである。
【０２０８】
Ｓ１１０３では、実行履歴管理１２４による画像処理の実行履歴の更新が行われる。実行履歴の更新は、処理実行時刻、処理実行利用者、処理実行の内容などが対応付けられて、記憶部１０３の実行履歴領域（図示せず）に追加記録される。
【０２０９】
Ｓ１１０４では、画像処理内容の設定情報を携帯用端末３００へ送信する処理が実行されるか否かが判断される。携帯用端末３００への送信処理の実行は、例えば、操作部パネル１０４からの実行指示が入力されているか否かによって判断される。送信処理が実行されない場合（ステップＳ１１０４：ＮＯ）、そのままリターンがされる。一方、送信処理が実行される場合（ステップＳ１１０４：ＹＥＳ）、ステップＳ１１０５の処理が実行される。
【０２１０】
Ｓ１１０５では、送信される設定情報にＭＦＰ１００での画像処理実行履歴を反映する処理が実行されるか否かが判断される。実行履歴の反映処理の実行は、例えば、操作部パネル１０４からの実行指示が入力されているか否かによって判断される。反映処理が実行されない場合（ステップＳ１１０５：ＮＯ）、ステップＳ１１０７の処理が実行される。一方、送信処理が実行される場合（ステップＳ１１０５：ＹＥＳ）、ステップＳ１１０６の処理が実行される。
【０２１１】
Ｓ１１０６では、設定情報に含まれる設定項目のうち、ＭＦＰ１００での画像処理実行回数が閾値を超えた項目の設定値変更が行われる。具体的には、実行履歴管理１２４により実行履歴に含まれる各設定項目の設定値毎画像処理実行回数がカウントされ、実行回数が予め設定された閾値を超えた設定項目の設定値については、設定値管理１１５により設定情報に含まれる当該設定項目の設定値を、実行回数が閾値を超えた設定値に変更する処理が行われる。本実施形態では実行回数が閾値を超えた設定項目の設定値について設定情報が変更されているが、設定項目によっては、最大実行回数の設定値や、ポワソン分布等のモデル分布に合致しない実行回数の設定値について変更されてもよい。
【０２１２】
Ｓ１１０７では、設定情報が携帯用端末３００へ送信される。携帯用端末３００への送信は、携帯用端末３００とコンピュータ２００との間の処理ではなく、携帯用端末３００とＭＦＰ１００との間の処理である点を除いて、図１３と同様の処理を行うことになる。
【０２１３】
図２５は、操作パネル部１０４に表示される表示画面の一例である。操作パネル部１０４は表示部と操作部の機能を兼ね備えたタッチパネルで構成されており、表示部分が押圧されることで設定値の選択入力がされることになる。
【０２１４】
Ｅ−ｍａｉｌ送信９０１、サーバ送信９０２、コピー９０３、保存９０４からなる部分では、図１２に示した設定情報のうちの「出力方法」の入力が行われ、これらの出力方法のうちのいずれかが選択される。「両面」「片面」からなる部分９０５では、図１２に示した設定情報のうちの「両面原稿／片面原稿」の入力が行われ、両面、片面のいずれかが選択される。読み取りサイズの選択部分９０６では、図１２に示した設定情報のうちの「原稿サイズ」の入力が行われ、任意の設定値が選択される。解像度の選択部分９０７では、図１２に示した設定情報のうちの「解像度」の入力が行われ、図２５においては解像度を表す単位であるｄｐｉ（ｄｏｔ  ｐｅｒ  ｉｎｃｈ）が選択される。「うすく」「自動」「こく」からなる部分９０８では、読み取り時の画像の濃さが入力される。送信先入力の部分９０９では、出力方法に「ｅ−ｍａｉｌ送信」が選択された場合に、送信先アドレスが入力され、設定情報として読み込まれた送信先アドレスからの選択、あるいは任意の文字列が入力される。送信サブジェクト入力９１０では、ｅ−ｍａｉｌ送信時の送信サブジェクトが入力され、設定情報として記憶された定型文字列の選択、あるいは任意の文字列が入力される。
【０２１５】
設定情報読出部分９１１は、携帯端末３００等の外部記憶装置から設定情報を読み出す場合に押圧され、設定情報書込部分９１２は、携帯端末３００等の外部記憶装置に設定情報を書き込む場合に押圧される。キャンセル９１３は画像処理の実行を中止する場合に押圧され、実行９１４は画像処理を実行する場合に押圧される。
【０２１６】
（第２の実施の形態）図２６は、本発明の第２の実施の形態に係る画像処理システムの全体構成を示すブロック図である。図２６の画像処理システムでは、図１に示した第１の実施の形態における携帯用端末３００に代えて外部メモリ８００を使用するものであり、その他の構成は図１同様である。したがって、重複を避けるために構成の詳細な説明は省略する。
【０２１７】
外部メモリ８００は、本発明の外部記憶装置に相当し、具体的にはハードディスク装置やフロッピー（Ｒ）ディスク装置、ＭＯ装置、ＣＤ−Ｒ装置、磁気テープ装置、フラッシュメモリなどがこれにあたる。
【０２１８】
図８は、図２６に示される外部メモリ８００の構成の一例を示すブロック図である。コンピュータ８００は、ＣＰＵ８０１、ＲＯＭ８０２、記憶部８０３、ローカルインターフェイス８０４を有する。
【０２１９】
記憶部８０３は、設定情報記憶手段、識別情報記憶手段、認証情報記憶手段に相当し、コンピュータ２００やＭＦＰ１００で生成された後に転送されたＭＦＰ１００の設定情報、外部メモリ８００に予め付与された端末ユニークな端末識別情報（例えば、製造番号）、外部メモリ８００の使用者が使用を許可された者であるか否かを判別するための認証情報（例えば、認証パスワードや指紋、声紋、虹彩のパターン情報）を記憶する。
【０２２０】
ローカルインターフェイス８０４は個人情報受信手段、書込設定情報受信手段、識別情報送信手段、読出設定情報送信手段に相当し、ＭＦＰ１００のローカルインターフェイス１０７およびコンピュータ２００のローカルインターフェイス２０７と近距離通信するためのインターフェイスである。
【０２２１】
図９は、図８に示した外部メモリ８００の機能を説明するブロック図である。これらの機能は、ＲＯＭ８０２に記憶された制御プログラムに基づいてＣＰＵ８０１が制御と演算の処理を行い、図８に示した各構成と協働することによって実現される。
【０２２２】
ローカルインターフェイス（Ｉ／Ｆ）制御８１２は書込受信制御手段、読出送信制御手段、書込伝送制御手段、読出伝送制御手段に相当する。記憶部制御８１３は、識別情報読み出し手段に相当し、記憶部８０３に記憶された識別情報を読み出す。認証部８１７は、読出個人情報認証手段、書込個人情報認証手段に相当する。
【０２２３】
以上のように構成される第２の実施形態の画像処理システムは、第１の実施の形態における携帯用端末３００に代えて外部メモリ８００を用いたものであるから、以下のように機能する。
１）コンピュータ２００は、ローカルインターフェイス２０７を経て、上述した設定情報を外部メモリ８００に送信する。外部メモリ８００は、ローカルインターフェイス８０４を経て、設定情報を受信する。受信された設定情報とは、記憶部８０３に記憶される。
２）設定情報を記憶した外部メモリ８００をＭＦＰ１００に接続した後、外部メモリ８００は、ローカルインターフェイス８０４を経て、設定情報をＭＦＰ１００に送信する。ＭＦＰ１００は、ローカルインターフェイス１０７を経て、この設定情報を受信する。受信された設定情報は、ＭＦＰ１００内の記憶部１０３に記憶される。
３）記憶された設定情報に基づき、ＭＦＰ１００で画像処理が実行される。
【０２２４】
具体的な処理内容は、第１の実施形態と同じであり、詳細な説明は省略する。なお、図１３のステップＳ１０４および図２０のステップＳ７０４の利用者チェックにおいては、図１６に示した第１の形態のみとなる。
【０２２５】
【発明の効果】
請求項１、請求項２１及び請求項２３に記載の発明によれば、近距離通信が可能な外部記憶装置が、クライアント端末で設定した画像処理内容を、ユーザの個人情報の認証を行った後に設定情報として記憶し、前記外部記憶装置に記憶された設定情報を画像処理装置が読み出すので、ファイヤウォール等のセキュリティの制限を受けることなく容易に、画像処理装置の設定が可能となる。また、近距離通信によって接続可能な外部記憶装置が複数存在した場合であっても、ユーザは所望の外部記憶装置に間違いなく設定情報を記憶させることが可能となる。
【０２２６】
請求項１１、請求項２２及び請求項２４に記載の発明によれば、近距離通信が可能な外部記憶装置が、クライアント端末で設定した画像処理内容を、設定情報として記憶し、前記外部記憶装置に記憶された設定情報を、ユーザの個人情報の認証を行った後に画像処理装置が読み出すので、ファイヤウォール等のセキュリティの制限を受けることなく容易に、画像処理装置の設定が可能となる。
【０２２７】
請求項２、請求項１２及び請求項２６に記載の発明によれば、個人情報の認証を個人情報認証システムにて行うので、外部記憶装置の利用ユーザ制限に加え、ユーザ毎の使用量・課金管理が可能となる。
【０２２８】
請求項３及び請求項１３に記載の発明によれば、外部記憶装置は認証情報記憶手段を有しているので、ネットワーク環境の制限を受けることなく、個人情報の認証が可能となる。
【０２２９】
請求項４及び請求項１４に記載の発明によれば、外部記憶装置の識別情報の認証を行った後に設定情報の伝送を行うので、ユーザを偽装した不正な利用の制限が可能となる。
【０２３０】
請求項５及び請求項１５に記載の発明によれば、外部記憶装置の探索結果をリスト表示する書込探索結果表示手段を有しているので、外部記憶装置の選択がきわめて容易に可能となる。
【０２３１】
請求項６及び請求項１６に記載の発明によれば、第２の設定入力に基づいて第２の設定情報を生成する第２の設定情報生成手段を有しているので、ユーザは場所の制限を受けることなく、画像処理装置の設定が可能となる。
【０２３２】
請求項７及び請求項１７に記載の発明によれば、処理実行回数に基づいて第２の設定情報を生成するので、ユーザの利用実情や好みに合った画像処理装置の設定が可能となる。
【０２３３】
請求項８及び請求項１８に記載の発明によれば、設定情報の伝送が近距離無線通信方式により行われるので、コネクタの接続等の面倒な操作を伴うことなく、また、ネットワーク環境の制限を受けることなく、画像処理装置の設定が可能となる。
【０２３４】
請求項９及び請求項１９に記載の発明によれば、外部記憶装置は携帯情報端末であるので、ユーザは本発明の画像処理システムのためだけの外部記憶装置を携帯することなく容易に、画像処理装置の設定が可能となる。
【０２３５】
請求項１０及び請求項２０に記載の発明によれば、設定される画像データの処理内容には、解像度、画像データの転送方法、画像データの転送先情報から選ばれる少なくとも一つが含まれているので、容易に画像処理装置の設定が可能となる。特に、画像データの転送先情報が外部記憶装置に記憶されるので、ネットワークを介したの転送先情報の漏洩を防止することが可能となる。
【０２３６】
請求項２５に記載の発明によれば、近距離通信が可能な外部記憶装置が、クライアント端末で設定した画像処理内容を、ユーザの個人情報の認証を行った後に設定情報として記憶し、前記外部記憶装置に記憶された設定情報を、ユーザの個人情報の認証を行った後に画像処理装置が読み出すので、スキャナ機能を有した画像処理システムにおける画像処理内容の設定作業を、ネットワークのセキュリティを気にすることなく簡単に行える機能を有するとともに、これらの画像処理内容の設定が他者に変更されてしまうことのないような安全な画像処理システムを提供することが可能となる。また、近距離通信によって接続可能な外部記憶装置が複数存在した場合であっても、ユーザは所望の外部記憶装置に間違いなく設定情報を記憶させ、読み出させることが可能となる。
【図面の簡単な説明】
【図１】本発明の第１の実施の形態に係る画像処理システムの全体構成を示すブロック図である。
【図２】ＭＦＰの構成の一例を示すブロック図である。
【図３】ＭＦＰの機能を説明するブロック図である。
【図４】コンピュータの構成の一例を示すブロック図である。
【図５】コンピュータの機能を説明するブロック図である。
【図６】携帯用端末の構成の一例を示すブロック図である。
【図７】携帯用端末の機能を説明するブロック図である。
【図８】外部メモリの構成の一例を示すブロック図である。
【図９】外部メモリの機能を説明するブロック図である。
【図１０】認証サーバの構成の一例を示すブロック図である。
【図１１】認証サーバの機能を説明するブロック図である。
【図１２】設定情報の一例を示す図である。
【図１３】第１の実施の形態におけるコンピュータと携帯用端末とが通信する場合のコンピュータの処理内容を説明するフローチャートである。
【図１４】図１３のステップＳ１０２の通信可能先リストを自動的に作成し、表示する処理に対応するサブルーチンを説明するフローチャートである。
【図１５】通信可能先リストの表示例を示す。
【図１６】図１３のステップＳ１０４の利用者チェックを受ける処理に対応するサブルーチンの第１の形態を説明するフローチャートである。
【図１７】図１３のステップＳ１０４の利用者チェックを受ける処理に対応するサブルーチンの第２の形態を説明するフローチャートである。
【図１８】図１３のステップＳ１０４の利用者チェックを受ける処理に対応するサブルーチンの第３の形態を説明するフローチャートである。
【図１９】図１３のステップＳ１０４の利用者チェックを受ける処理に対応するサブルーチンの第４の形態を説明するフローチャートである。
【図２０】第１の実施の形態におけるＭＦＰと携帯用端末とが通信を行う場合のＭＦＰの処理内容を説明するフローチャートである。
【図２１】図２０のステップＳ７０１の通信可能先リストを自動的に作成し、表示する処理に対応するサブルーチンを説明するフローチャートである。
【図２２】図２０のステップＳ７０４の携帯用端末チェックを行う処理に対応するサブルーチンの第１の形態を説明するフローチャートである。
【図２３】図２０のステップＳ７０４の携帯用端末チェックを行う処理に対応するサブルーチンの第２の形態を説明するフローチャートである。
【図２４】図２０のステップＳ７０６の画像処理に対応するサブルーチンを説明するフローチャートである。
【図２５】操作パネル部に表示される表示画面の一例。
【図２６】本発明の第２の実施の形態に係る画像処理システムの全体構成を示すブロック図である。
【符号の説明】
１００  ＭＦＰ
１０１  ＣＰＵ
１０３  記憶部
１０４  操作パネル部
１０６  ネットワークインターフェイス
１０７  ローカルインターフェイス
１０８  スキャナ部
２００  コンピュータ（情報処理端末）
２０１  ＣＰＵ
２０３  記憶部
２０４  入力装置
２０５  ディスプレイ
２０６  ネットワークインターフェイス
２０７  ローカルインターフェイス
３００  携帯用端末
３０１  ＣＰＵ
３０３  記憶部
３０４  入力キー
３０６  ディスプレイ
３０８  ローカルインターフェイス
４００  ネットワーク
５００  認証サーバ
６００  基地局
７００、７０１  ファイヤウォール
８００  外部メモリ
【図１】
2004364002.tif 000003
【図２】
2004364002.tif 000004
【図３】
2004364002.tif 000005
【図４】
2004364002.tif 000006
【図５】
2004364002.tif 000007
【図６】
2004364002.tif 000008
【図７】
2004364002.tif 000009
【図８】
2004364002.tif 000010
【図９】
2004364002.tif 000011
【図１０】
2004364002.tif 000012
【図１１】
2004364002.tif 000013
【図１２】
2004364002.tif 000014
【図１３】
2004364002.tif 000015
【図１４】
2004364002.tif 000016
【図１５】
2004364002.tif 000017
【図１６】
2004364002.tif 000018
【図１７】
2004364002.tif 000019
【図１８】
2004364002.tif 000020
【図１９】
2004364002.tif 000021
【図２０】
2004364002.tif 000022
【図２１】
2004364002.tif 000023
【図２２】
2004364002.tif 000024
【図２３】
2004364002.tif 000025
【図２４】
2004364002.tif 000026
【図２５】
2004364002.tif 000027
【図２６】
2004364002.tif 000028